(57)【要約】      （修正有）【課題】  データ放送ないしデジタル放送、番組連動型データ放送つき通常放送、独立型データ放送、等、各種の情報をDVD等のビデオレコーダに記録することができ、記録されたデータをフォーマット変換後コピー、移動することにより他機DVD再生、伝送、消去、編集を可能とする。【解決手段】  第１ファイルには、放送等の管理データ、タイムマップ、第２ファイルには、デジタル放送、独立型データ放送、オーディオ放送、第３のファイルには、アナログ放送、第４のファイルには、ＭＰＥＧ、ＪＰＥＧ、ＰＮＧ、ＭＮＧ、ＢＭＬ、ゲーム、電子プログラムガイドから構成される。【選択図】  図５
2005323325.tif 000002
【特許請求の範囲】
【請求項１】
管理データを第１のファイルに記録し、放送をTS（Transport Stream）で表現したストリームを第２のファイルに記録し、映像音声をPS（Program Stream）で表現したストリームを第３のファイルに記録し、入力した放送映像音声のうち全部または一部、または、第２または第３のファイルに記録された放送映像音声のうち全部または一部からコピーまたは移動したものを第４のファイルに記録し、
管理データにより、各ファイルに記録された放送映像音声データの内容を示すことを特徴とする、放送映像音声データ記録方法。
【請求項２】
管理データを第１のファイルに記録し、放送をTSで表現したストリームを第２のファイルに記録し、映像音声をPSで表現したストリームを第３のファイルに記録し、入力した放送映像音声のうち全部または一部、または、第２または第３のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録し、
管理データにより、各ファイルに記録された放送映像音声データの内容を示すことを特徴とする、放送映像音声データ記録方法。
【請求項３】
管理データを第１のファイルに記録し、通常の放送をTSで表現したストリームを第２のファイルに記録し、映像音声をPSで表現したストリームを第３のファイルに記録し、データ放送を第２または第３または第４のファイルに記録し、入力した放送映像音声のうち全部または一部、または、第２または第３または第４のファイルに記録された放送映像音声のうち全部または一部からコピーまたは移動したものを第４または第５のファイルに記録し、
管理データにより、各ファイルに記録された放送映像音声データの内容を示すことを特徴とする、放送映像音声データ記録方法。
【請求項４】
管理データを第１のファイルに記録し、通常の放送をTSで表現したストリームを第２のファイルに記録し、映像音声をPSで表現したストリームを第３のファイルに記録し、データ放送を第２または第３または第４のファイルに記録し、入力した放送映像音声のうち全部または一部、または、第２または第３または第４のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録し、
管理データにより、各ファイルに記録された放送映像音声データの内容を示すことを特徴とする、放送映像音声データ記録方法。
【請求項５】
入力した放送映像音声データまたは各ファイルのデータのうち全部または一部が、記録またはコピーまたは移動先のファイルのフォーマットと合致していればそのまま、合致していなければ前記フォーマットに変換した後、記録またはコピーまたは移動することを特徴とする、請求項１〜４のいずれかに記載の放送映像音声データ記録方法。
【請求項６】
第３のファイルにおけるPSストリームは、アナログ放送をPS符号化したストリームであることを特徴とする、請求項１〜５のいずれかに記載の放送映像音声データ記録方法。
【請求項７】
第３のファイルにおけるPSストリームは、デジタル放送をTSからPSにトランスコード符号化したストリームであることを特徴とする、請求項１〜５のいずれかに記載の放送映像音声データ記録方法。
【請求項８】
第２のファイルに記録されたTSで表現された放送ストリームを、PSで表現された映像音声ストリームに変換後、コピーまたは移動により第３のファイルに記録し、管理データにより記録情報を示すことを特徴とする、請求項１〜７のいずれかに記載の放送映像音声データ記録方法。
【請求項９】
第３のファイルに記録されたPSで表現された映像音声ストリームを、TSで表現された放送ストリームに変換後、コピーまたは移動により第２のファイルに記録し、管理データにより記録情報を示すことを特徴とする、請求項１〜８のいずれかに記載の放送映像音声データ記録方法。
【請求項１０】
放送外関連情報を、請求項１〜４に記載された第４以降のファイルの一部に記録し、管理データにより放送外関連情報の内容を示すことを特徴とする、請求項１〜９のいずれかに記載の放送映像音声データ記録方法。
【請求項１１】
放送外関連情報を、請求項１〜４に示していない新規のファイルに記録し、管理データにより放送外関連情報の内容を示すことを特徴とする、請求項１〜９のいずれかに記載の放送映像音声データ記録方法。
【請求項１２】
データ放送には、番組連動型データ放送、独立型データ放送、オーディオ放送またはラジオ放送、または文字放送が含まれることを特徴とする、請求項１〜１１のいずれかに記載の放送映像音声データ記録方法。
【請求項１３】
番組連動型データ放送を第２のファイルに記録し、独立型データ放送、オーディオ放送またはラジオ放送、または文字放送を第４のファイルに記録することを特徴とする、請求項１２に記載の放送映像音声データ記録方法。
【請求項１４】
コピーまたは移動するデータは、動画データ、音声データ、静止画データ、アニメーション、文字データ、ゲームデータ、電子プログラムガイドデータ、グラフィックデータ、立体映像データのうち全部、または一部であることを特徴とする、請求項１〜１３のいずれかに記載の放送映像音声データ記録方法。
【請求項１５】
放送外関連情報が、放送に関連するインターネット情報、番組付加情報、ディレクターズカット情報、ディレクターズコメント情報、Ｅコマース情報、チャット情報、予告情報といったインターネット付加情報、インターネット放送情報のうち全部または一部であることを特徴とする、請求項１〜１４のいずれかに記載の放送映像音声データ記録方法。
【請求項１６】
管理データを記録した第１のファイルと、入力した放送映像音声データおよびコピーまたは移動の結果得られた記録放送映像音声データのうち、少なくとも一方を格納データとして記録したデータファイルとを有し、前記データファイルには、前記格納データが前記管理データが示すフォーマットで記録されることを特徴とする放送映像音声データ記録方法。
【請求項１７】
請求項１６において、ＴＳで表現された放送映像音声データを第２のファイルに記録するとともに、ＰＳで表現された放送映像音声データを第３のファイルに記録し、前記第２および／または第３のファイルの記録データを選択的に前記データファイルにコピーまたは移動することを特徴とする放送映像音声データ記録方法。
【請求項１８】
請求項１６において、前記データファイルとして、入力した放送映像音声データ、または前記第２または第３のファイルに記録された記録データの少なくとも一部をコピーまたは移動したデータを前記格納データとして格納する第４のファイルを備えていることを特徴とする放送映像音声データ記録方法。
【請求項１９】
管理データとして、放送記録ファイル識別フラグ、放送外関連情報記録ファイル識別フラグ、放送識別フラグ、放送外関連情報識別フラグのうち全部または一部を持ち、これらのフラグにより、放送映像音声データが記録されたファイル、放送外関連情報が記録されたファイル、記録された放送映像音声データの内容、記録された放送外関連情報の内容、のうち全部または一部を示すことを特徴とする、請求項１〜１８記載の放送映像音声データ記録方法。
【請求項２０】
放送記録ファイル識別フラグ、放送外関連情報記録ファイル識別フラグが、
相当するファイルに、データ放送なしデジタル通常放送、番組連動型データ放送付デジタル通常放送、独立型データ放送、オーディオ放送またはラジオ放送、文字放送、アナログ放送がそれぞれ記録されているか否か、またはそれぞれの放送が記録されているファイルを示し、あるいは相当するファイルに、放送外関連情報が記録されているか否か、または放送外関連情報が記録されているファイルを示し、
放送識別フラグ、放送外関連情報識別フラグが、
相当するストリームに、データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否か、記録されている放送データないし放送外関連情報のうち、直接記録または他のファイルからコピーまたは移動されたデータが、直接記録かコピーか移動かの別、コピーまたは移動のときソースが存在するかどうかと存在するときファイル名、ソースストリーム名、ソースストリームナンバー、
コピーまたは移動、かつソースが分かっているときソースデータと記録データに関して、その他のとき記録データに関して、データが動画／音声／静止画／アニメーション／文字データ／ゲームデータ／電子プログラムガイドデータ／グラフィックデータ／立体映像データの別、動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ、のうち全部、または一部を示すことを特徴とする、請求項１９に記載の放送映像音声データ記録方法。
【請求項２１】
第１のファイルに、
放送記録ファイル識別フラグ、放送外関連情報記録ファイル識別フラグ、放送識別フラグ、放送外関連情報識別フラグ、および、
データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が記録されることを特徴とする、請求項１〜２０のいずれかに記載の放送映像音声データ記録方法。
【請求項２２】
動画データ圧縮方式としてMPEGビデオかH.264ビデオかWindows（登録商標）Mediaビデオかの種別、音声データ圧縮方式としてMPEGオーディオかDolbyオーディオかDTSオーディオかの種別、静止画データ圧縮方式としてJPEGかPNGかの種別、を示すことを特徴とする、請求項２０または２１記載の放送映像音声データ記録方法。
【請求項２３】
請求項１〜２２のいずれかに記載された記録方法でデータを記録する放送映像音声データ記録装置、および／または、請求項１〜２２のいずれかに記載された記録方法で記録されたデータを再生する放送映像音声データ再生装置。
【請求項２４】
請求項１〜２２のいずれかに記載された記録方法で記録が行われた放送映像音声データ記録媒体。
【請求項２５】
互いに異なるフォーマットを有するデータストリームをそれぞれ互いに異なるファイルに格納し、格納されたデータストリーム間相互のフォーマット変換を行なって、当該変換されたフォーマットに適合したデータを追加することによりデータストリームを記録するデータストリーム記録方法。
【請求項２６】
請求項２５において、前記データストリームはトランスポートストリーム（ＴＳ）とプログラムストリーム（ＰＳ）とを含んでいることを特徴とするデータストリーム記録方法。
【請求項２７】
請求項２６において、前記トランスポートストリーム（ＴＳ）は放送データストリームであり、他方、プログラムストリーム（ＰＳ）は非放送データストリーム又は放送から発生したストリームであり、前記ＴＳ及びＰＳを識別する管理データを別のファイルに格納することを特徴とするデータストリーム記録方法。
【請求項２８】
互いに異なるフォーマットを有するデータストリームをそれぞれ格納する２つのファイルと、これら互いに異なるデータストリーム間のフォーマット変換を行なう手段と、変換されたデータストリームを変換されたデータストリームのフォーマットに従って格納する別のファイルとを含み、当該別のファイルからのデータストリームを再生することを特徴とするデータストリーム記録再生装置。
【請求項２９】
請求項２８において、更に、前記互いに異なるデータストリームを識別するデータ格納手段を備えていることを特徴とするデータストリーム記録再生装置。
【請求項３０】
互いに異なるフォーマットを有するデータストリームに対応できるフォーマットを備えたことを特徴とする記録媒体。
【請求項３１】
管理データを第１のファイルに記録し、放送をTS（Transport Stream）で表現したストリームを第２のファイルに記録し、映像音声をPS（Program Stream）で表現したストリームを第３のファイルに記録し、入力した放送映像音声のうち全部または一部、または、第２または第３のファイルに記録された放送映像音声のうち全部または一部からコピーまたは移動したものを第４のファイルに記録させる手段とを備え、管理データにより、各ファイルに記録された放送映像音声データの内容を示すことを特徴とする、放送映像音声データ記録装置。
【請求項３２】
管理データを第１のファイルに記録し、放送をTSで表現したストリームを第２のファイルに記録し、映像音声をPSで表現したストリームを第３のファイルに記録し、入力した放送映像音声のうち全部または一部、または、第２または第３のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録させる手段とを備え、管理データにより、各ファイルに記録された放送映像音声データの内容を示すことを特徴とする、放送映像音声データ記録装置。
【請求項３３】
管理データを第１のファイルに記録し、通常の放送をTSで表現したストリームを第２のファイルに記録し、映像音声をPSで表現したストリームを第３のファイルに記録し、データ放送を第２または第３または第４のファイルに記録させる手段と、
入力した放送映像音声のうち全部または一部、または、第２または第３または第４のファイルに記録された放送映像音声のうち全部または一部からコピーまたは移動したものを第４または第５のファイルに記録させる手段とを備え、管理データにより、各ファイルに記録された放送映像音声データの内容を示すことを特徴とする、放送映像音声データ記録装置。
【請求項３４】
管理データを第１のファイルに記録し、通常の放送をTSで表現したストリームを第２のファイルに記録し、映像音声をPSで表現したストリームを第３のファイルに記録し、データ放送を第２または第３または第４のファイルに記録させる手段と、
入力した放送映像音声のうち全部または一部、または、第２または第３または第４のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士組み合わせ、それぞれ第４以降の同じファイルに記録させる手段とを備え、管理データにより、各ファイルに記録された放送映像音声データの内容を示すことを特徴とする、放送映像音声データ記録装置。
【請求項３５】
請求項３１乃至３４のいずれかに記載された放送映像音声データ記録装置に記録されたデータを前記第１のファイルの管理データを参照して再生する手段を備えていることを特徴とする放送映像音声データ再生装置。
【請求項３６】
第４以降のファイル中のデータにおいて、動画、音声、静止画、アニメーション、文字データ、ゲームデータ、電子プログラムガイドデータ、グラフィックデータ、または立体映像データそれぞれに対して、当該データのヘッダー情報を付加することを特徴とする、請求項１〜２２のいずれかに記載された放送映像音声データ記録方法。
【請求項３７】
第４以降のファイル中のデータにおいて、同じフォーマットの動画、同じフォーマットの音声、同じフォーマットの静止画、同じフォーマットのアニメーション、同じフォーマットの文字データ、同じフォーマットのゲームデータ、同じフォーマットの電子プログラムガイドデータ、同じフォーマットのグラフィックデータ、または同じフォーマットの立体映像データそれぞれをまとめ、まとめられたデータに対して、当該データのヘッダー情報を付加することを特徴とする、請求項１〜２２のいずれかに記載された放送映像音声データ記録方法。
【請求項３８】
ヘッダー情報が、以下に示す情報の少なくとも一部を含んでいることを特徴とする請求項３６又は３７に記載された放送映像音声データ記録方法。
データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否かを示すフラグ、
記録されている放送データないし放送外関連情報のうち、直接記録または他のファイルからコピーまたは移動されたデータが、直接記録かコピーか移動かの別を示すフラグ、
コピーまたは移動のときソースが存在するかどうかを示すフラグ、
ソースが存在するときファイル名、ソースストリーム名、ソースストリームナンバー、
コピーまたは移動、かつソースが分かっているときソースデータと記録データに関して、その他のとき記録データに関して、それぞれ、データが動画／音声／静止画／アニメーション／文字データ／ゲームデータ／電子プログラムガイドデータ／グラフィックデータ／立体映像データの別を示すフラグ、
動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ、
ジャンル、コンテンツ情報、サムネイル情報、レジュームマーカー情報、プロテクト情報、仮消去情報、ブックマーク情報、プレイリスト情報、静止画再生時間情報、同期オーディオ情報、オーディオアフレコ情報、
ヘッダー長、データ長。
【請求項３９】
ヘッダー情報に、
データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が追加されることを特徴とする、請求項３８に記載された放送映像音声データ記録方法。
【請求項４０】
動画データ圧縮方式としてMPEGビデオかH.264ビデオかWindows（登録商標）Mediaビデオかの種別、音声データ圧縮方式としてMPEGオーディオかDolbyオーディオかDTSオーディオかの種別、静止画データ圧縮方式としてJPEGかPNGかの種別、を示すことを特徴とする、請求項３８または３９記載の放送映像音声データ記録方法。
【請求項４１】
第４以降のファイルにおいて、そのファイルに記録されている動画／音声／静止画／アニメーション／文字データ／ゲームデータ／電子プログラムガイドデータ／グラフィックデータ／立体映像データ全体のヘッダー情報をまとめてトータルヘッダー情報として記録することを特徴とする、請求項１〜２２のいずれかに記載された放送映像音声データ記録方法。
【請求項４２】
トータルヘッダー情報が、請求項３８〜４０のいずれかに示すヘッダー情報のうち全部、または一部を持つことを特徴とする、請求項４１に記載された放送映像音声データ記録方法。
【請求項４３】
請求項３６〜４２に示すいずれかの方法により記録されたデータ記録媒体。
【請求項４４】
請求項３６〜４２に示すいずれかの方法により記録を行うデータ記録装置、または請求項３６〜４２に示すいずれかの方法により記録されたデータを再生するデータ再生装置。
【請求項４５】
入力された放送映像音声データを編集することによって得られた編集済データを前記放送映像音声データとは異なるファイルに格納する放送映像音声データの記録方法において、前記編集済データのファイルには、当該編集済データに関するヘッダー情報が当該編集済データと共に格納されることを特徴とする放送映像音声データ記録方法。
【請求項４６】
請求項４５において、動画、音声、静止画、アニメーション、文字データ、ゲームデータ、電子プログラムガイドデータ、グラフィックデータ、及び、立体映像データの少なくとも一つのデータのヘッダー情報であることを特徴とする放送映像音声データ記録方法。
【請求項４７】
請求項４５において、同じフォーマットの動画、同じフォーマットの音声、同じフォーマットの静止画、同じフォーマットのアニメーション、同じフォーマットの文字データ、同じフォーマットのゲームデータ、同じフォーマットの電子プログラムガイドデータ、同じフォーマットのグラフィックデータ、または同じフォーマットの立体映像データそれぞれをまとめ、まとめられたデータに対して割り当てられた、当該データをあらわすヘッダー情報であることを特徴とする放送映像音声データ記録方法。
【請求項４８】
請求項４５〜４７のいずれかにおいて、前記ヘッダー情報は以下の情報の少なくとも一部を含んでいることを特徴とする放送映像音声データ記録方法。
データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否かを示すフラグ、
記録されている放送データないし放送外関連情報のうち、直接記録または他のファイルからコピーまたは移動されたデータが、直接記録かコピーか移動かの別を示すフラグ、
コピーまたは移動のときソースが存在するかどうかを示すフラグ、
ソースが存在するときファイル名、ソースストリーム名、ソースストリームナンバー、
コピーまたは移動、かつソースが分かっているときソースデータと記録データに関して、その他のとき記録データに関して、それぞれ、データが動画／音声／静止画／アニメーション／文字データ／ゲームデータ／電子プログラムガイドデータ／グラフィックデータ／立体映像データの別を示すフラグ、
動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ、
ジャンル、コンテンツ情報、サムネイル情報、レジュームマーカー情報、プロテクト情報、仮消去情報、ブックマーク情報、プレイリスト情報、静止画再生時間情報、同期オーディオ情報、オーディオアフレコ情報、
ヘッダー長、データ長。
【請求項４９】
請求項４８において、ヘッダー情報に、
データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が追加されることを特徴とする放送映像音声記録方法。
【請求項５０】
入力された放送映像音声データを当該放送映像音声データを再生する再生装置で再生可能なフォーマットに変換し、当該変換した状態で記録することを特徴とする放送映像音声データ記録方法。
【請求項５１】
請求項４５〜５０のいずれかの放送映像音声記録方法によって記録されたデータを記録したデータ記録媒体。
【請求項５２】
請求項４５〜５０のいずれかの放送映像音声記録方法によって記録を行うことを特徴とするデータ記録装置。
【請求項５３】
請求項４５〜５０のいずれかの放送映像音声記録方法によって記録されたデータを再生するデータ再生装置。
【発明の詳細な説明】
【技術分野】
【０００１】
この発明は、ハードディスク／ＤＶＤコンボ型ビデオレコーダ、ＤＶＤビデオレコーダ、ＤＶＤストリームレコーダ、ハードディスクビデオレコーダなど記録装置におけるデジタル放送データ、アナログ放送映像音声データ、インターネットデータなど放送外関連情報の記録再生方法、装置、および記録媒体に関する。
【背景技術】
【０００２】
従来、DVD（Digital Versatile Disc）におけるビデオ、ストリーム関連アプリケーションフォーマットは、DVD-Forumにおいて、再生専用のDVD-Video、記録再生と編集が容易なDVD-VR（Video Recording）、放送または伝送ストリームを直接記録再生が容易なDVD-SR（Stream Recording）フォーマットが規格化されている。
【０００３】
DVD-Videoは、映画などあらかじめコンテンツが記録されたディスク再生専用フォーマットであり、ホームシアターをメインターゲットとしている。DVD-VRは、アナログビデオをディジタル化し、MPEG-2エンコードして記録することを主たる目的としたフォーマットであり、アナログ放送記録とビデオカメラをメインターゲットとしている。DVD-SRは、MPEGストリームとして送られてきたデータを基本的にはそのまま記録するフォーマットであり、デジタル放送のダイレクト記録をメインターゲットとしている。現在、DVD-Videoは商品として世界中に広まり、DVD-VRも大幅に広まりつつあるが、DVD-SRは商品化されていない。
【０００４】
ここで、DVDなどにより放送映像音声データを記録する場合、フォーマットとして、デジタル放送を直接記録するか、アナログ放送をディジタル化して記録するか、どちらかしか考慮されていなかった。また、データ放送記録のことは考慮されていなかった。
【０００５】
即ち、アナログ放送、デジタル放送は、それぞれDVD-VR、DVD-SRフォーマットとして、同じ媒体に共存することのみが考えられた。デジタル放送に関しては、何も加工せず、媒体にそのままダイレクト記録することのみが考えられた。データ放送を単独で記録しようとすると、例えばデータ放送のデータをMPEG-2フォーマットで規定されているPES_private_dataに配置して記録することなどが考えられた。
【０００６】
一方、特開２００３−２８８７６７（特許文献１）には、映像音声ストリーム記録において互換性を維持しつつ多機能化を実現し、且つ、ビデオ記録など他の映像記録機器との最適なデータ送受信、記録を可能とする記録方法が提案されている。
【０００７】
更に、本発明者等は先に、特願２００４−１２２６４号（特許文献２）等において、通常の放送と共に、データ放送をも記録再生する記録、再生方法を提案した。
【０００８】
【特許文献１】特開２００３−２８８７６７公報
【特許文献２】特願２００４−１２２６４号公報
【発明の開示】
【発明が解決しようとする課題】
【０００９】
しかしながら、前述したような記録方法により放送映像音声データの記録を行おうとすると、以下のような問題点が挙げられる。
【００１０】
即ち、デジタル放送をDVD-SRフォーマットで記録した媒体は、通常のDVD-VideoまたはDVD-VRフォーマットに対応したDVDプレーヤまたはDVDレコーダでは、データの読み出しができない。
【００１１】
更に、アナログ放送をMPEG符号化後、DVD-VideoまたはDVD-VRフォーマットで記録したデータは、他のデバイスとデータ通信しようとしても、そのままではデータを送信できない。
【００１２】
また、デジタル放送をマルチチャンネル記録などにより、タイムマップなしで記録したデータファイルに関して、可変速再生、タイムサーチ、タイトルまたはチャプターサーチが実現できない。
【００１３】
一方、データ放送記録において、PES_private_dataに記録することは可能であるが、プライベートデータとして記録するためフォーマットによる規定は行われず、異なった装置間での互換が取れない。また、仮に互換が取れたとしても、本放送とデータ放送が１ストリームに多重化されている場合、データ放送のデータを本放送と切り離して保存、編集、削除、加工、特殊再生など行うことが非常に困難である。
【００１４】
また、DVD-SRにおいてデジタル放送をダイレクトで記録した場合も、本放送とデータ放送の切り分け、データ放送の内容、データ放送チャンネルに関して、記録ストリーム中を検索しなければ詳細が分からず、また、仮に詳細が分かったとしても、本放送とデータ放送が１ストリームに多重化されている場合、データ放送のデータを本放送と切り離して保存、編集、削除、加工、特殊再生など行うことが非常に困難である。
【００１５】
更に、特許文献１では、データ放送を記録すること並びに記録する際における問題点については何等言及されていない。
【００１６】
他方、特許文献２は、トラスポートストリーム（ＴＳ）で表現された放送データとプログラムストリーム（ＰＳ）で表現された映像音声データ（非放送データ）とを記録、再生する手法について記載していない。即ち、データ放送以外の放送及び放送外の関連データを記録すること等については、特許文献２は検討していない。
【００１７】
本発明の目的は、放送映像音声データを任意且つ容易に処理することができる放送映像音声データ記録方法を提供することである。
【００１８】
本発明の他の目的は、上記した記録方法に従ってデータを記録および／または再生する装置を提供することである。
【００１９】
本発明の更に他の目的は、上記した記録方法に従ってデータを記録された記録媒体、並びに、異なるフォーマットを有するデータストリームを記録できる記録媒体を提供することである。
【００２０】
本発明の他の目的は、データ放送、データ放送以外の放送、並びに、放送以外の関連データ、即ち、互いに異なるフォーマットを有するデータストリームを記録／再生する方法、装置を提供することである。
【課題を解決するための手段】
【００２１】
本発明は前記課題を解決したものであり、以下、本発明の特徴を列挙しておく。
【００２２】
まず、本発明の第１の態様によれば、管理データを第１のファイルに記録し、放送をTS（Transport Stream）で表現したストリームを第２のファイルに記録し、映像音声をPS（Program Stream）で表現したストリームを第３のファイルに記録し、入力した放送映像音声のうち全部または一部、または、第２または第３のファイルに記録された放送映像音声のうち全部または一部からコピーまたは移動したものを第４のファイルに記録し、管理データにより、各ファイルに記録された放送映像音声データの内容を示すことを特徴とする、放送映像音声データ記録方法が得られる。
【００２３】
本発明の第２の態様によれば、管理データを第１のファイルに記録し、放送をTSで表現したストリームを第２のファイルに記録し、映像音声をPSで表現したストリームを第３のファイルに記録し、入力した放送映像音声のうち全部または一部、または、第２または第３のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録し、管理データにより、各ファイルに記録された放送映像音声データの内容を示すことを特徴とする、放送映像音声データ記録方法が得られる。
【００２４】
本発明の第３の態様によれば、管理データを第１のファイルに記録し、通常の放送をTSで表現したストリームを第２のファイルに記録し、映像音声をPSで表現したストリームを第３のファイルに記録し、データ放送を第２または第３または第４のファイルに記録し、入力した放送映像音声のうち全部または一部、または、第２または第３または第４のファイルに記録された放送映像音声のうち全部または一部からコピーまたは移動したものを第４または第５のファイルに記録し、管理データにより、各ファイルに記録された放送映像音声データの内容を示すことを特徴とする、放送映像音声データ記録方法が得られる。
【００２５】
本発明の第４の態様によれば、管理データを第１のファイルに記録し、通常の放送をTSで表現したストリームを第２のファイルに記録し、映像音声をPSで表現したストリームを第３のファイルに記録し、データ放送を第２または第３または第４のファイルに記録し、入力した放送映像音声のうち全部または一部、または、第２または第３または第４のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録し、管理データにより、各ファイルに記録された放送映像音声データの内容を示すことを特徴とする、放送映像音声データ記録方法が得られる。
【００２６】
本発明の第５の態様によれば、入力した放送映像音声データまたは各ファイルのデータのうち全部または一部が、記録またはコピーまたは移動先のファイルのフォーマットと合致していればそのまま、合致していなければ前記フォーマットに変換した後、記録またはコピーまたは移動する放送映像音声データ記録方法が得られる。
【００２７】
本発明の第６の態様によれば、第３のファイルにおけるPSストリームは、アナログ放送をPS符号化したストリームであることを特徴とする放送映像音声データ記録方法が得られる。
【００２８】
本発明の第７の態様によれば、第３のファイルにおけるPSストリームは、デジタル放送をTSからPSにトランスコード符号化したストリームであることを特徴とする放送映像音声データ記録方法が得られる。
【００２９】
本発明の第８の態様によれば、第２のファイルに記録されたTSで表現された放送ストリームを、PSで表現された映像音声ストリームに変換後、コピーまたは移動により第３のファイルに記録し、管理データにより記録情報を示すことを特徴とする放送映像音声データ記録方法が得られる。
【００３０】
本発明の第９の態様によれば、第３のファイルに記録されたPSで表現された映像音声ストリームを、TSで表現された放送ストリームに変換後、コピーまたは移動により第２のファイルに記録し、管理データにより記録情報を示すことを特徴とする放送映像音声データ記録方法が得られる。
【００３１】
本発明の第１０の態様によれば、放送外関連情報を、上記した第４以降のファイルの一部に記録し、管理データにより放送外関連情報の内容を示すことを特徴とする放送映像音声データ記録方法が得られる。
【００３２】
本発明の第１１の態様によれば、放送外関連情報を、第１乃至第４の態様に示していない新規のファイルに記録し、管理データにより放送外関連情報の内容を示すことを特徴とする放送映像音声データ記録方法が得られる。
【００３３】
本発明の第１２の態様によれば、データ放送には、番組連動型データ放送、独立型データ放送、オーディオ放送またはラジオ放送、または文字放送が含まれることを特徴とする放送映像音声データ記録方法が得られる。
【００３４】
本発明の第１３の態様によれば、前述した番組連動型データ放送を第２のファイルに記録し、独立型データ放送、オーディオ放送またはラジオ放送、または文字放送を第４のファイルに記録することを特徴とする放送映像音声データ記録方法が得られる。
【００３５】
本発明の第１４の態様によれば、コピーまたは移動するデータは、動画データ、音声データ、静止画データ、アニメーション、文字データ、ゲームデータ、電子プログラムガイドデータ、グラフィックデータ、立体映像データのうち全部、または一部であることを特徴とする放送映像音声データ記録方法が得られる。
【００３６】
本発明の第１５の態様によれば、放送外関連情報が、放送に関連するインターネット情報、番組付加情報、ディレクターズカット情報、ディレクターズコメント情報、Ｅコマース情報、チャット情報、予告情報といったインターネット付加情報、インターネット放送情報のうち全部または一部であることを特徴とする放送映像音声データ記録方法が得られる。
【００３７】
本発明の第１６の態様によれば、管理データを記録した第１のファイルと、入力した放送映像音声データおよびコピーまたは移動の結果得られた記録放送映像音声データのうち、少なくとも一方を格納データとして記録したデータファイルとを有し、前記データファイルには、前記格納データが前記管理データが示すフォーマットで記録されることを特徴とする放送映像音声データ記録方法が得られる。
【００３８】
本発明の第１７の態様によれば、ＴＳで表現された放送映像音声データを第２のファイルに記録するとともに、ＰＳで表現された放送映像音声データを第３のファイルに記録し、前記第２および／または第３のファイルの記録データを選択的に前記データファイルにコピーまたは移動することを特徴とする放送映像音声データ記録方法が得られる。
【００３９】
本発明の第１８の態様によれば、前記データファイルとして、入力した放送映像音声データ、または前記第２または第３のファイルに記録された記録データの少なくとも一部をコピーまたは移動したデータを前記格納データとして格納する第４のファイルを備えていることを特徴とする放送映像音声データ記録方法が得られる。
【００４０】
本発明の第１９の態様によれば、管理データとして、放送記録ファイル識別フラグ、放送外関連情報記録ファイル識別フラグ、放送識別フラグ、放送外関連情報識別フラグのうち全部または一部を持ち、これらのフラグにより、放送映像音声データが記録されたファイル、放送外関連情報が記録されたファイル、記録された放送映像音声データの内容、記録された放送外関連情報の内容、のうち全部または一部を示すことを特徴とする放送映像音声データ記録方法が得られる。
【００４１】
本発明の第２０の態様によれば、放送記録ファイル識別フラグ、放送外関連情報記録ファイル識別フラグが、相当するファイルに、データ放送なしデジタル通常放送、番組連動型データ放送付デジタル通常放送、独立型データ放送、オーディオ放送またはラジオ放送、文字放送、アナログ放送がそれぞれ記録されているか否か、またはそれぞれの放送が記録されているファイルを示し、あるいは相当するファイルに、放送外関連情報が記録されているか否か、または放送外関連情報が記録されているファイルを示し、放送識別フラグ、放送外関連情報識別フラグが、相当するストリームに、データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否か、記録されている放送データないし放送外関連情報のうち、直接記録または他のファイルからコピーまたは移動されたデータが、直接記録かコピーか移動かの別、コピーまたは移動のときソースが存在するかどうかと存在するときファイル名、ソースストリーム名、ソースストリームナンバー、コピーまたは移動、かつソースが分かっているときソースデータと記録データに関して、その他のとき記録データに関して、データが動画／音声／静止画／アニメーション／文字データ／ゲームデータ／電子プログラムガイドデータ／グラフィックデータ／立体映像データの別、動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ、のうち全部、または一部を示すことを特徴とする放送映像音声データ記録方法が得られる。
【００４２】
本発明の第２１の態様によれば、第１のファイルに、放送記録ファイル識別フラグ、放送外関連情報記録ファイル識別フラグ、放送識別フラグ、放送外関連情報識別フラグ、および、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が記録されることを特徴とする放送映像音声データ記録方法が得られる。
【００４３】
本発明の第２２の態様によれば、動画データ圧縮方式としてMPEGビデオかH.264ビデオかWindows（登録商標）Mediaビデオかの種別、音声データ圧縮方式としてMPEGオーディオかDolbyオーディオかDTSオーディオかの種別、静止画データ圧縮方式としてJPEGかPNGかの種別、を示すことを特徴とする放送映像音声データ記録方法が得られる。
【００４４】
本発明の第２３の態様によれば、前述した記録方法でデータを記録する放送映像音声データ記録装置、および／または、前述した記録方法で記録されたデータを再生する放送映像音声データ再生装置が得られる。
【００４５】
本発明の第２４の態様によれば、前述した記録方法で記録が行われた放送映像音声データ記録媒体が得られる。
【００４６】
本発明の第２５の態様によれば、互いに異なるフォーマットを有するデータストリームをそれぞれ互いに異なるファイルに格納し、格納されたデータストリーム間相互のフォーマット変換を行なって、当該変換されたフォーマットに適合したデータを追加することによりデータストリームを記録するデータストリーム記録方法が得られる。
【００４７】
本発明の第２６の態様によれば、前記データストリームはトランスポートストリーム（ＴＳ）とプログラムストリーム（ＰＳ）とを含んでいることを特徴とするデータストリーム記録方法が得られる。
【００４８】
本発明の第２７の態様によれば、前記トランスポートストリーム（ＴＳ）は放送データストリームであり、他方、プログラムストリーム（ＰＳ）は非放送データストリーム又は放送から発生したストリームであり、前記ＴＳ及びＰＳを識別する管理データを別のファイルに格納することを特徴とするデータストリーム記録方法が得られる。
【００４９】
本発明の第２８の態様によれば、互いに異なるフォーマットを有するデータストリームをそれぞれ格納する２つのファイルと、これら互いに異なるデータストリーム間のフォーマット変換を行なう手段と、変換されたデータストリームを変換されたデータストリームのフォーマットに従って格納する別のファイルとを含み、当該別のファイルからのデータストリームを再生することを特徴とするデータストリーム記録再生装置が得られる。
【００５０】
本発明の第２９の態様によれば、更に、前記互いに異なるデータストリームを識別するデータ格納手段を備えていることを特徴とするデータストリーム記録再生装置が得られる。
【００５１】
本発明の第３０の態様によれば、互いに異なるフォーマットを有するデータストリームに対応できるフォーマットを備えたことを特徴とする記録媒体が得られる。
【００５２】
本発明の第３１の態様によれば、管理データを第１のファイルに記録し、放送をTS（Transport Stream）で表現したストリームを第２のファイルに記録し、映像音声をPS（Program Stream）で表現したストリームを第３のファイルに記録し、入力した放送映像音声のうち全部または一部、または、第２または第３のファイルに記録された放送映像音声のうち全部または一部からコピーまたは移動したものを第４のファイルに記録させる手段とを備え、管理データにより、各ファイルに記録された放送映像音声データの内容を示すことを特徴とする、放送映像音声データ記録装置が得られる。
【００５３】
本発明の第３２の態様によれば、管理データを第１のファイルに記録し、放送をTSで表現したストリームを第２のファイルに記録し、映像音声をPSで表現したストリームを第３のファイルに記録し、入力した放送映像音声のうち全部または一部、または、第２または第３のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録させる手段とを備え、管理データにより、各ファイルに記録された放送映像音声データの内容を示すことを特徴とする、放送映像音声データ記録装置が得られる。
【００５４】
本発明の第３３の態様によれば、管理データを第１のファイルに記録し、通常の放送をTSで表現したストリームを第２のファイルに記録し、映像音声をPSで表現したストリームを第３のファイルに記録し、データ放送を第２または第３または第４のファイルに記録させる手段と、入力した放送映像音声のうち全部または一部、または、第２または第３または第４のファイルに記録された放送映像音声のうち全部または一部からコピーまたは移動したものを第４または第５のファイルに記録させる手段とを備え、管理データにより、各ファイルに記録された放送映像音声データの内容を示すことを特徴とする、放送映像音声データ記録装置が得られる。
【００５５】
本発明の第３４の態様によれば、管理データを第１のファイルに記録し、通常の放送をTSで表現したストリームを第２のファイルに記録し、映像音声をPSで表現したストリームを第３のファイルに記録し、データ放送を第２または第３または第４のファイルに記録させる手段と、入力した放送映像音声のうち全部または一部、または、第２または第３または第４のファイルに記録された放送映像音声のうち全部または一部からコピーまたは移動したものを、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ、同じ符号化フォーマットを持つグラフィックデータ、同じ符号化フォーマットを持つ立体映像データ同士を組み合わせ、それぞれ第４以降の同じファイルに記録させる手段とを備え、管理データにより、各ファイルに記録された放送映像音声データの内容を示すことを特徴とする、放送映像音声データ記録装置が得られる。
【００５６】
本発明の第３５の態様によれば、前述した放送映像音声データ記録装置に記録されたデータを前記第１のファイルの管理データを参照して再生する手段を備えていることを特徴とする放送映像音声データ再生装置が得られる。
【００５７】
本発明の第３６の態様によれば、第４以降のファイル中のデータにおいて、動画、音声、静止画、アニメーション、文字データ、ゲームデータ、電子プログラムガイドデータ、グラフィックデータ、または立体映像データそれぞれに対して、当該データのヘッダー情報を付加することを特徴とするデータ記録方法が得られる。
【００５８】
本発明の第３７の態様によれば、第４以降のファイル中のデータにおいて、同じフォーマットの動画、同じフォーマットの音声、同じフォーマットの静止画、同じフォーマットのアニメーション、同じフォーマットの文字データ、同じフォーマットのゲームデータ、同じフォーマットの電子プログラムガイドデータ、同じフォーマットのグラフィックデータ、または同じフォーマットの立体映像データそれぞれをまとめ、まとめられたデータに対して、当該データのヘッダー情報を付加することを特徴とするデータ記録方法が得られる。
【００５９】
本発明の第３８の態様によれば、ヘッダー情報が、データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否か、記録されている放送データないし放送外関連情報のうち、直接記録または他のファイルからコピーまたは移動されたデータが、直接記録かコピーか移動かの別、コピーまたは移動のときソースが存在するかどうかと存在するときファイル名、ソースストリーム名、ソースストリームナンバー、コピーまたは移動、かつソースが分かっているときソースデータと記録データに関して、その他のとき記録データに関して、データが動画／音声／静止画／アニメーション／文字データ／ゲームデータ／電子プログラムガイドデータ／グラフィックデータ／立体映像データの別、動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ、ジャンル、コンテンツ情報、サムネイル情報、レジュームマーカー情報、プロテクト情報、仮消去情報、ブックマーク情報、プレイリスト情報、静止画再生時間情報、同期オーディオ情報、オーディオアフレコ情報、ヘッダー長、データ長、のうち全部、または一部から成ることを特徴とするデータ記録方法が得られる。
【００６０】
本発明の第３９の態様によれば、ヘッダー情報に、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が追加されることを特徴とするデータ記録方法が得られる。
【００６１】
本発明の第４０の態様によれば、動画データ圧縮方式としてMPEGビデオかH.264ビデオかWindows（登録商標）Mediaビデオかの種別、音声データ圧縮方式としてMPEGオーディオかDolbyオーディオかDTSオーディオかの種別、静止画データ圧縮方式としてJPEGかPNGかの種別、を示すことを特徴とするデータ記録方法が得られる。
【００６２】
本発明の第４１の態様によれば、第４以降のファイルにおいて、そのファイルに記録されている動画／音声／静止画／アニメーション／文字データ／ゲームデータ／電子プログラムガイドデータ／グラフィックデータ／立体映像データ全体のヘッダー情報をまとめてトータルヘッダー情報として記録することを特徴とするデータ記録方法が得られる。
【００６３】
本発明の第４２の態様によれば、トータルヘッダー情報が、前記ヘッダー情報のうち全部、または一部を持つことを特徴とするデータ記録方法が得られる。
【００６４】
本発明の第４３の態様によれば、前記いずれかの方法によりヘッダー情報、トータルヘッダー情報が記録されたデータ記録媒体が得られる。
【００６５】
本発明の第４４の態様によれば、前記いずれかの方法によりヘッダー情報、トータルヘッダー情報を持つデータを記録するデータ記録装置、または前記いずれかの方法によりヘッダー情報、トータルヘッダー情報を持つ記録データを再生するデータ再生装置が得られる。
【００６６】
本発明の第４５の態様によれば、入力された放送映像音声データを編集することによって得られた編集済データを前記放送映像音声データとは異なるファイルに格納する放送映像音声データの記録方法において、前記編集済データのファイルには、当該編集済データに関するヘッダー情報が当該編集済データと共に格納されることを特徴とする放送映像音声データ記録方法が得られる。
【００６７】
本発明の第４６の態様によれば、動画、音声、静止画、アニメーション、文字データ、ゲームデータ、電子プログラムガイドデータ、グラフィックデータ、及び、立体映像データの少なくとも一つのデータのヘッダー情報であることを特徴とする放送映像音声データ記録方法が得られる。
【００６８】
本発明の第４７の態様によれば、同じフォーマットの動画、同じフォーマットの音声、同じフォーマットの静止画、同じフォーマットのアニメーション、同じフォーマットの文字データ、同じフォーマットのゲームデータ、同じフォーマットの電子プログラムガイドデータ、同じフォーマットのグラフィックデータ、または同じフォーマットの立体映像データそれぞれをまとめ、まとめられたデータに対して割り当てられた、当該データをあらわすヘッダー情報であることを特徴とする放送映像音声データ記録方法が得られる。
【００６９】
本発明の第４８の態様によれば、前記ヘッダー情報は以下の情報の少なくとも一部を含んでいることを特徴とする放送映像音声データ記録方法。即ち、データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否かを示すフラグ；
記録されている放送データないし放送外関連情報のうち、直接記録または他のファイルからコピーまたは移動されたデータが、直接記録かコピーか移動かの別を示すフラグ；
コピーまたは移動のときソースが存在するかどうかを示すフラグ；
ソースが存在するときファイル名、ソースストリーム名、ソースストリームナンバー；
コピーまたは移動、かつソースが分かっているときソースデータと記録データに関して、その他のとき記録データに関して、それぞれ、データが動画／音声／静止画／アニメーション／文字データ／ゲームデータ／電子プログラムガイドデータ／グラフィックデータ／立体映像データの別を示すフラグ；
動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ；
ジャンル、コンテンツ情報、サムネイル情報、レジュームマーカー情報、プロテクト情報、仮消去情報、ブックマーク情報、プレイリスト情報、静止画再生時間情報、同期オーディオ情報、オーディオアフレコ情報；及び
ヘッダー長、データ長。
【００７０】
本発明の第４９の態様によれば、更に、ヘッダー情報に、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が追加されることを特徴とする放送映像音声記録方法が得られる。
【００７１】
本発明の第５０の態様によれば、入力された放送映像音声データを当該放送映像音声データを再生する再生装置で再生可能なフォーマットに変換し、当該変換した状態で記録することを特徴とする放送映像音声記録方法が得られる。
【００７２】
本発明の第５１の態様によれば、上記第４５〜５０の態様のいずれかの放送映像音声記録方法によって記録されたデータを記録したデータ記録媒体が得られる。
【００７３】
本発明の第５２の態様によれば、第４５〜５０の態様のいずれかの放送映像音声記録方法によって記録を行うことを特徴とするデータ記録装置が得られる。
【００７４】
本発明の第５３の態様によれば、第４５〜５０の態様のいずれかの放送映像音声記録方法によって記録されたデータを再生するデータ再生装置が得られる。
【発明の効果】
【００７５】
本発明は、管理データを第１のファイルに記録し、データ放送、オーディオ放送を含むデジタル放送を第２のファイルに記録し、アナログ放送の映像音声データを第３のファイルに記録する。また、第２のファイルに記録されたデータ放送を含むデジタル放送、第３のファイルに記録されたアナログ放送のうち全部または一部を第４のファイルにコピーまたは移動し、管理データ内の放送記録ファイル識別フラグにより放送映像音声データが第４のファイルに記録されたことを規定し、放送識別フラグにより第４のファイルにコピーまたは移動された放送映像音声データの内容を示す。また、第２、第３、第４のファイル間で、データをコピー、移動する先のデータフォーマットに変換した後、データをコピー、移動する。ここで、コピーまたは移動するデータは、動画データ、音声データ、静止画データ、アニメーション、文字データ、ゲームデータ、EPG（電子プログラムガイド）データ、グラフィックデータ、立体映像データのうち全部、または一部であってもいい。また、放送に関連するインターネット情報、番組付加情報、ディレクターズカット情報、ディレクターズコメント情報、Ｅコマース情報、チャット情報、予告情報のうち全部または一部を、通常の放送を記録する第２または第３のファイルと異なったファイルに記録してもいい。
【００７６】
これにより、本発明では、デジタル放送、アナログ放送を双方とも第３のファイルにPSで記録することにより、通常のDVD-VideoまたはDVD-VRフォーマットに対応したDVDプレーヤまたはDVDレコーダでの読み出しが可能となる。
【００７７】
また、デジタル放送、アナログ放送を双方とも第２のファイルにTSで記録することにより、他のデバイスとデータ通信するとき、TSでそのままデータを送信できる。
【００７８】
更に、デジタル放送をマルチチャンネル記録などにより、第２のファイルにタイムマップなしで記録した後、タイムマップを計算しながら第２または第３のファイルにコピーまたは移動することによりタイムマップを追加することができ、それにより容易に、可変速再生、タイムサーチ、タイトルまたはチャプターサーチを実現することができる。
【００７９】
また、放送を記録するファイルと、放送に関連するデータを記録するファイルとを別にすることによって、データ放送を容易に記録可能であり、かつ記録されたデータ放送を、本放送と切り離して保存、編集、削除、加工、特殊再生など容易に実現できるという効果がある。
【００８０】
更に、放送映像音声データに何等かの処理、例えば、コピー、移動、編集、加工等を施して得られるデータを総称して編集済データと呼ぶものとすると、本発明では、放送映像音声データを編集することによって得られた編集済データにヘッダー情報を付加して編集済データと同じファイルに格納することにより、編集済データを迅速に再生できると共に、他のファイルにおけるデータが消失しても、編集済データを再生できると言う効果がある。
【発明を実施するための最良の形態】
【００８１】
図１〜図２３、図２４を参照して、本発明に係る実施例を説明する。
【００８２】
図１を参照すると、本発明により放送映像音声データ記録を実現する放送映像音声データ記録・再生装置が示されている。なお、装置内の各ブロックは、主にソフトウェアを用いて実現される場合を例示的に示しているが、ハードウェアによって実現されても良い。
【００８３】
図１では、デジタル通常放送、データ放送、オーディオ放送、文字放送、アナログ放送、インターネット付加情報を、ＨＤＤまたはＤＶＤビデオレコーダに記録する例を示す。
【００８４】
１０１からデジタル通常放送波が入力する。ここで、デジタル通常放送波は連動型データ放送なし通常放送、または連動型データ放送つき通常放送、または独立型データ放送、またはオーディオ放送、または文字放送のうち全部、または一部を含んでいる。これらは、すべてＴＳ（Transport Stream）である。
【００８５】
一方、１０２からアナログ放送波が入力する。アナログ放送波は通常放送とし、チューナー／エンコーダ１０６に与えられる。チューナー／エンコーダ１０６によりアナログ放送は復調、エンコードされ、ＰＳ（Program Stream）として出力される。
【００８６】
さらに、１０３から放送外関連情報の一例としてインターネット付加情報が入力する。ここで、インターネット付加情報は、放送に関連するインターネット情報、番組付加情報、ディレクターズカット情報、ディレクターズコメント情報、Ｅコマース情報、チャット情報、予告情報などから構成される。これらは、基本的にはＴＳでないが、ＴＳでも同様である。
【００８７】
また、制御信号１０４も入力される。制御信号１０４は、デジタル通常放送、データ放送、オーディオ放送、文字放送、アナログ放送、インターネット付加情報などのうち、記録する情報の種類と記録方法を指定する信号であり、当該制御信号１０４はユーザによって与えられるユーザオペレーション信号である。なお、上記したデジタル放送波、アナログ放送波、インターネット付加情報、および、制御信号１０４は同時的に入力されても良いし、個別に入力されても良い。
【００８８】
デジタル通常放送入力１０１は、チューナー１０５により復調され、通常放送選択１０８により連動型データ放送なし通常放送、または連動型データ放送選択１０９により連動型データ放送つき通常放送、または独立型データ放送選択１１０により独立型データ放送、またはオーディオ放送選択１１１によりオーディオ放送、または文字放送選択１１２により文字放送が選択されて、選択統合１１５へ出力される。
【００８９】
アナログ放送入力１０２は、チューナー・エンコーダ１０６により復調、およびＭＰＥＧエンコードされて、選択統合１１５へ出力される。
【００９０】
インターネット入力１０３は、インターネット入力１０７で必要な情報が復号され、インターネット付加情報選択１１４によりインターネット付加情報が選択されて、選択統合１１５へ出力される。
【００９１】
統合選択１１５は、１０８、１０９、１１０、１１１、１１２、１１３または１１４のうち、記録すべきデータを１以上選択、統合して記録フォーマット化１１６へ出力する。
【００９２】
記録フォーマット化１１６は、選択統合１１５から入力した記録データに対し、記録フォーマット化を施し、記録ファイルを指定するとともに、制御信号１０４に基づいて、記録されるデータ種別に応じた管理データを発生し、専用の管理データファイルまたはタイムマップデータファイルとしてＨＤＤ１１７およびＤＶＤ１１８へ記録する。記録ファイル構造に関しては、後ほど詳しく述べる。即ち、この実施例では、ユーザオペレーション信号である制御信号に対応した管理データがＨＤＤ１１７またはＤＶＤ１１８に記録されることになる。
【００９３】
ＨＤＤ１１７、ＤＶＤ１１８はそれぞれハードディスク、光ディスク記録媒体を示す。
【００９４】
データコピー・移動１２０は、ＨＤＤ１１７、またはＤＶＤ１１８に記録されたデジタル放送データ、データ放送、オーディオ放送、文字放送、アナログ放送データまたはインターネット付加情報のデータを他のファイル、または他のグループにコピー、または移動するブロックである。データコピー・移動の内容、手順に関しては、後ほど詳しく述べる。
【００９５】
制御入力１０４は、記録データ・記録ファイル決定、管理データ発生、データコピー・移動制御１１９により、選択統合１１５においてどのデータが選択・統合されるのか、記録フォーマット化１１６においてどのようなフォーマットに変換するか指定するとともに、記録フォーマット、記録ファイルを指定し、選択統合化されたデータの管理データを発生し、専用の管理データファイルまたはタイムマップデータファイルとしてＨＤＤ１１７およびＤＶＤ１１８へ記録する。記録ファイル構造に関しては、後ほど詳しく述べる。同時に、データコピー・移動、フォーマット変換１２０に対して、データコピー・移動方法と内容、フォーマット変換を指定する。
【００９６】
フォーマット変換の内容、手順に関しては、後ほど詳しく述べる。
【００９７】
ＨＤＤ１１７およびＤＶＤ１１８に記録されたデータは、両者間でダビングが行われるとともに、１２１から再生される。再生は図示したようにＨＤＤは再生１、ＤＶＤは再生２として再生してもよく、図示していないが再生１と再生２を選択するセレクタを経由した後、１系統として再生してもいい。ここで、制御入力１０４を受けて、ＨＤＤ１１７、ＤＶＤ１１８にデータを記録し、且つ、当該ＨＤＤ１１７、ＤＶＤ１１８に記録されたデータを再生する制御部１１９はデータ記録手段及びデータ再生手段として動作する。
【００９８】
図２に、デジタル通常放送、データ放送、オーディオ放送、文字放送、アナログ放送、インターネット付加情報を再生出力するブロック図を示す。
【００９９】
ＨＤＤ１１７、ＤＶＤ１１８から再生された信号は、選択２０１により選択された後、再生フォーマット解読２０３に入力する。
【０１００】
また、同時に制御信号２０２がユーザの操作により入力される。制御信号２０２は、管理データ解読、再生方法決定するための制御入力である。
【０１０１】
再生フォーマット解読２０３は、２０１から入力した信号のフォーマットを解読し、例えばＭＰＥＧ動画であれば動画デコード２０４、ＭＰＥＧ−２  ＡＡＣオーディオであれば音声デコード２０５、ＪＰＥＧ静止画であれば静止画デコード２０６、ＭＮＧアニメーションであればアニメーションデコード２０７、文字であれば文字デコード２０８、ゲームデータであればゲームデータデコード２０９、電子プログラムデータであれば電子プログラムデータデコード２１０、グラフィックデータであればグラフィックデコード２１１、立体映像データであれば立体映像デコード２１２に出力する。
【０１０２】
再生フォーマット解読２０３による出力信号は、動画デコード２０４、音声デコード２０５、静止画デコード２０６、アニメーションデコード２０７、文字デコード２０８、ゲームデータデコード２０９、電子プログラムガイドデータデコード２１０、グラフィックデコード２１１、立体映像デコード２１２において、それぞれのフォーマットに応じてデコードが行われ、再生映像再構成２１３へ出力される。
【０１０３】
再生映像再構成２１３において、各フォーマットに従ってデコードされた映像、音声、データから、オーバーレイなどにより再生映像信号が再構成され、Ｄ／Ａ２１４において、ディジタル／アナログ変換が行われる。
【０１０４】
また、管理データ解読、再生方法決定２１５は、再生フォーマット解読２０３に対して再生データ指定、再生フォーマット解読制御を行い、再生映像再構成２１３に対してオーバーレイなどの再生映像再構成制御を行う。
【０１０５】
Ｄ／Ａ２１４から、２１６により映像、音声、データが外部出力される。
【０１０６】
図３を参照して、本発明に係るデータ放送記録方法を説明する。本発明に係る記録方法では、管理データを第１のファイルに記録し、デジタル通常放送とデータ放送を同じ第２のファイルに記録し、アナログ放送を第３のファイルに記録する。この記録方法では、管理データに従って放送データ等の処理が行われ、その結果、放送データ等の保存、編集等が容易になる。
【０１０７】
ここで、デジタル放送中のデータ放送には、番組連動型データ放送と独立型データ放送がある。
【０１０８】
番組連動型データ放送は、いわゆるテレビ放送と連動したデータ放送のことである。例えば、ワールドカップサッカー番組における選手紹介、高校野球甲子園大会の放送におけるチーム紹介、選手紹介、ファンからの応援メッセージ、試合結果などが、これに相当する。
【０１０９】
独立型データ放送は、テレビ番組から離れて、写真や文字情報などのデータだけを独立で放送するデータ放送のことである。テレビ番組とは無関係に放送されるニュース、天気予報、株価、星占いなどが、これに相当する。
【０１１０】
また、データ放送の１つの形態としてオーディオ放送がある。オーディオ放送は、オーディオのみを単独で放送するものである。
【０１１１】
さらに、データ放送の他の形態として文字放送がある。文字放送は、文字データを単独で放送するものである。
【０１１２】
図３には、管理データを第１のファイルに記録し、タイムマップデータを他のファイルに記録し、デジタル放送データを第２のファイルに記録し、アナログ放送データを第３のファイルに記録した後、デジタル放送データ、アナログ放送データのうちの一部を第４のファイルにコピーする例が示されている。
【０１１３】
図３では、３０１が第１のファイル、３０２が他のファイル、３０３が第２のファイル、３０４が第３のファイル、３０５が第４のファイルである。
【０１１４】
第１のファイル３０１には、管理データ３０６（HR_MANGR.IFO）が含まれている。管理データ３０６に関しては、後ほど詳しく説明する。
【０１１５】
他のファイル３０２には、タイムマップデータ３０７（HR_STMAP.IFO、HR_VTMAP.IFO）が含まれている。タイムマップデータ３０７は、３０８を初めとする第２のファイル３０３、３０９を初めとする第３のファイル３０４の時刻と記録位置の関係を示すマップである。また、図３では、３０６が３０１に含まれ、３０７が３０２に含まれるとしているが、３０６と３０７が両方とも第１のファイル３０１に含まれるとしても良い。その場合、他のファイル３０２は存在しなくなる。
【０１１６】
第２のファイル３０３（HR_STRMx.SRO）には、デジタル放送データ３０８が含まれている。デジタル放送データ３０８には、デジタル通常放送に加え、番組連動型データ放送付通常放送、独立型データ放送、オーディオ放送、文字放送などが含まれている。
【０１１７】
第３のファイル３０４（HR_MOVIE.VRO）には、アナログ放送データとしての映像音声３０９が含まれている。
【０１１８】
第４のファイル３０５（HR_EXTBC.DAT）は、ＭＰＥＧ映像データ３１０、ＭＰＥＧ音声データ３１１、ＪＰＥＧデータ３１２、ＰＮＧデータ３１３、ＭＮＧデータ３１４、ＢＭＬデータ３１５、ゲームデータ３１６、電子プログラムガイドデータ３１７から構成される。なお、第４のファイル３０５には、グラフィック、立体映像など、前記以外の方式の映像、音声、データが存在してもいい。また、ＭＰＥＧデータ３１０、３１１は、第２、第３のファイルとは異なったストリームであるＥＳまたはＰＥＳとすることによりメリット大となる。
【０１１９】
図３では、第２のファイル３０３に記録されたデジタル放送３０８のデータから、３１８により、ＭＰＥＧ映像データ３１０、ＭＰＥＧ音声データ３１１、ＪＰＥＧデータ３１２、ＰＮＧデータ３１３、ＭＮＧデータ３１４、ＢＭＬデータ３１５、ゲームデータ３１６、電子プログラムガイドデータ３１７にデータをコピーし、第３のファイル３０４に記録されたアナログ放送の映像音声データ３０９から、３１８により、ＭＰＥＧ映像データ３１０、ＭＰＥＧ音声データ３１１にデータをコピーする例を示した。
【０１２０】
第４のファイル３０５のデータは、他の用途に利用したり、動画／音声／静止画アルバムとして保存したり、あるいは単独で編集、削除、加工、特殊再生などを行うことが可能である。
【０１２１】
また、動画を取り出してＭＰＥＧデータとして記録する、お気に入りの歌手の歌声データのみ取り出してＤｏｌｂｙ  ＡＣ−３データとして記録する、好きなキャラクタのみ取り出してアニメーションＭＮＧデータとして記録するなどが可能である。
【０１２２】
ここでは、例としてデータの一部を取り出すとしたが、データの全部でもよく、「コピー」ではなくて第２または第３のファイルからもとのデータを削除する「移動」でもいい。また、放送と同時に、データの全部、または一部を第４のファイルに直接記録してもいい。このようなコピーおよび移動は、ユーザの操作に基づいて発生される制御信号に従って、第１のファイル３０１内の管理データを参照することによって行われる。この構成によれば、データ放送を第４のファイル内のデータを参照することによって管理できるという利点がある。
【０１２３】
また、例として第２、第３のファイルから第４のファイルにデータをコピー、移動する例を示したが、第２、第３のファイル同士で、または第４のファイルから第２または第３のファイルにデータをコピー、移動してもいい。その場合、フォーマットはコピー、移動先のものに合わせるものとする。
【０１２４】
図４に、管理データを第１のファイルに記録し、タイムマップデータを他のファイルに記録し、デジタル放送データを第２のファイルに記録し、アナログ放送データを第３のファイルに記録した後、デジタル放送データ、アナログ放送データのうちの一部を、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ同士合わせて、それぞれ第４以降の同じファイルにコピーする例を示す。
【０１２５】
図４では、４０１が第１のファイル、４０２が他のファイル、４０３が第２のファイル、４０４が第３のファイル、４０５が第４のファイル、４０６が第５のファイル、４０７が第６のファイル、４０８が第７のファイル、４０９が第８のファイル、４１０が第９のファイル、４１１が第１０のファイル、４１２が第１１のファイルである。
【０１２６】
第１のファイル４０１には、管理データ４１３が含まれている。管理データ４１３に関しては、後ほど詳しく説明する。
【０１２７】
他のファイル４０２には、タイムマップデータ４１４が含まれている。４０２、４１４の関係は、図３と同様である。
【０１２８】
第２のファイル４０３には、デジタル放送データ４１５が含まれている。デジタル放送データ４１５には、デジタル通常放送に加え、番組連動型データ放送付通常放送、独立型データ放送、オーディオ放送、文字放送などが含まれている。
【０１２９】
第３のファイル４０４には、アナログ放送データとしての映像音声４１６が含まれている。
【０１３０】
第４のファイルはＭＰＥＧ映像ファイル４０５、第５のファイルはＭＰＥＧ音声ファイル４０６、第６のファイルはＪＰＥＧファイル４０７、第７のファイルはＰＮＧファイル４０８、第８のファイルはＭＮＧファイル４０９、第９のファイルはＢＭＬファイル４１０、第１０のファイルはゲームデータファイル４１１、第１１のファイルは電子プログラムガイドデータファイル４１２である。なお、４０５〜４１２には、グラフィック、立体映像など、前記以外の方式の映像、音声、データが存在してもいい。また、ＭＰＥＧデータ４０５、４０６は、第２、第３のファイルとは異なったストリームであるＥＳまたはＰＥＳとすることによりメリット大となる。
【０１３１】
図４では、第２のファイル４０３に記録されたデジタル放送４１５のデータから、４１７により、ＭＰＥＧ映像ファイル４０５、ＭＰＥＧ音声ファイル４０６、ＪＰＥＧファイル４０７、ＰＮＧファイル４０８、ＭＮＧファイル４０９、ＢＭＬファイル４１０、ゲームデータファイル４１１、電子プログラムガイドデータファイル４１２にデータをコピーし、第３のファイル４０４に記録されたアナログ放送の映像音声データ４１６から、４１７により、ＭＰＥＧ映像ファイル４０５、ＭＰＥＧ音声ファイル４０６にデータをコピーする例を示した。
【０１３２】
第４のファイル４０５〜第１１のファイル４１２のデータは、他の用途に利用したり、動画／音声／静止画アルバムとして保存したり、あるいは単独で編集、削除、加工、特殊再生などを行うことが可能である。
【０１３３】
また、動画を取り出してＭＰＥＧファイルとして記録する、お気に入りの歌手の歌声データのみ取り出してＤｏｌｂｙ  ＡＣ−３ファイルとして記録する、好きなキャラクタのみ取り出してアニメーションＭＮＧファイルとして記録するなどが可能である。
【０１３４】
ここでは、例としてデータの一部を取り出すとしたが、データの全部でもよく、「コピー」ではなくて第２または第３のファイルからもとのデータを削除する「移動」でもいい。また、放送と同時に、データの全部、または一部を第４〜第１１のファイルに直接記録してもいい。この構成によれば、個別のデータを含むファイルを個々に参照することによって、所望のデータ処理を行うことができるという利点がある。
【０１３５】
また、例として第２、第３のファイルから第４〜第１１のファイルにデータをコピー、移動する例を示したが、第２、第３のファイル同士で、または第４〜第１１のファイルから第２または第３のファイルにデータをコピー、移動してもいい。その場合、フォーマットはコピー、移動先のものに合わせるものとする。
【０１３６】
図５に、管理データを第１のファイルに記録し、タイムマップデータを他のファイルに記録し、デジタル通常放送、連動型データ放送付通常放送、独立型データ放送、オーディオ放送データを第２のファイルに記録し、アナログ放送データを第３のファイルに記録した後、デジタル放送データ、アナログ放送データのうちの一部を第４のファイルにコピーする例を示す。
【０１３７】
図５では、５０１が第１のファイル、５０２が他のファイル、５０３が第２のファイル、５０４が第３のファイル、５０５が第４のファイルである。
【０１３８】
第１のファイル５０１には、管理データ５０５が含まれている。管理データ５０６に関しては、後ほど詳しく説明する。
【０１３９】
他のファイル５０２には、タイムマップデータ５０７が含まれている。５０２、５０７の関係は、図３と同様である。
【０１４０】
第２のファイル５０３には、デジタル通常放送５０８、番組連動型データ放送付通常放送５０９、独立型データ放送５１０、オーディオ放送５１１が含まれている。
【０１４１】
第３のファイル５０４には、アナログ放送としての映像音声５１２が含まれている。
【０１４２】
図５に示されているように、第４のファイル５０５は、ＭＰＥＧ映像データ５１３、ＭＰＥＧ音声データ５１４、ＪＰＥＧデータ５１５、ＰＮＧデータ５１６、ＭＮＧデータ５１７、ＢＭＬデータ５１８、ゲームデータ５１９、電子プログラムガイドデータ５２０から構成される。なお、第４のファイル５０５には、グラフィック、立体映像など、前記以外の方式の映像、音声、データが存在してもいい。また、ＭＰＥＧデータ５１３、５１４は、第２、第３のファイルとは異なったストリームであるＥＳまたはＰＥＳとすることによりメリット大となる。
【０１４３】
ここで、第２のファイル５０３に記録された独立型データ放送５１０のうちスポーツニュースのサッカーゴール瞬間シーンのみ取り出して、第４のファイル５０５に対して５２１により、ＭＰＥＧ音声データとしてＭＰＥＧ音声データ５１４に、ＪＰＥＧデータとしてＪＰＥＧデータ５１５に、ゲームで使うためのデータとしてゲームデータ５１９にデータをコピーしている。
【０１４４】
また、第３のファイル５０４に記録されたアナログ放送としての映像音声５１２から、同様にサッカーゴール瞬間シーンのみ取り出して、第４のファイル５０５に対して５２１により、ＭＰＥＧ動画データとしてＭＰＥＧ動画データ５１３に、ＭＰＥＧ音声データとしてＭＰＥＧ音声データ５１４にデータをコピーしている。
【０１４５】
これらの「サッカーゴールシーン」データは、他の用途に利用したり、動画アルバム、静止画アルバムとして保存したり、あるいは単独で編集、削除、加工、特殊再生などを行うことが可能である。
【０１４６】
ここでは、例としてデータの一部を取り出すとしたが、データの全部でもよく、「コピー」ではなくて第２または第３のファイルからもとのデータを削除する「移動」でもいい。また、放送と同時に、データの全部、または一部を第４のファイルに直接記録してもいい。
【０１４７】
また、例として第２、第３のファイルから第４のファイルにデータをコピー、移動する例を示したが、第２、第３のファイル同士で、または第４のファイルから第２または第３のファイルにデータをコピー、移動してもいい。その場合、フォーマットはコピー、移動先のものに合わせるものとする。
【０１４８】
図６に、管理データを第１のファイルに記録し、タイムマップデータを他のファイルに記録し、デジタル通常放送、番組連動型データ放送付通常放送、独立型データ放送、オーディオ放送データを第２のファイルに記録し、アナログ放送データを第３のファイルに記録した後、デジタル放送データ、アナログ放送データのうちの一部を、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ同士合わせて、それぞれ第４以降の同じファイルにコピーする例を示す。
【０１４９】
図６では、６０１が第１のファイル、６０２が他のファイル、６０３が第２のファイル、６０４が第３のファイル、６０５が第４のファイル、６０６が第５のファイル、６０７が第６のファイル、６０８が第７のファイル、６０９が第８のファイル、６１０が第９のファイル、６１１が第１０のファイル、６１２が第１１のファイルである。
【０１５０】
第１のファイル６０１には、管理データ６１３が含まれている。管理データ６１３に関しては、後ほど詳しく説明する。
【０１５１】
他のファイル６０２には、タイムマップデータ６１４が含まれている。６０２、６１４の関係は、図３と同様である。
【０１５２】
第２のファイル６０３には、デジタル通常放送６１５、番組連動型データ放送付通常放送６１６、独立型データ放送６１７、独立オーディオ放送６１８が含まれている。
【０１５３】
第３のファイル６０４には、アナログ放送としての映像音声６１９が含まれている。
【０１５４】
第４のファイルはＭＰＥＧ映像ファイル６０５、第５のファイルはＭＰＥＧ音声ファイル６０６、第６のファイルはＪＰＥＧファイル６０７、第７のファイルはＰＮＧファイル６０８、第８のファイルはＭＮＧファイル６０９、第９のファイルはＢＭＬファイル６１０、第１０のファイルはゲームデータファイル６１１、第１１のファイルは電子プログラムガイドデータファイル６１２である。なお、第４のファイル６０５〜第１１のファイル６１２には、グラフィック、立体映像など、前記以外の方式の映像、音声、データが存在してもいい。また、ＭＰＥＧデータ６０５、６０６は、第２、第３のファイルとは異なったストリームであるＥＳまたはＰＥＳとすることによりメリット大となる。
【０１５５】
ここで、第２のファイル６０３に記録された番組連動型データ放送６１６としての歌番組「○○歌合戦」のうち、歌手（動画）６２０、歌（音声）６２１、衣装（静止画）６２２、歌手を示すキャラクタアニメーション６２３、歌手のプロフィールの文字データ６２４を取り出して、ＭＰＥＧデータとして第４のＭＰＥＧデータファイル６０５、ＭＰＥＧ  ＡＡＣオーディオデータとして第５のＭＰＥＧ  ＡＡＣオーディオデータファイル６０６、ＪＰＥＧデータとして第６のＪＰＥＧデータファイル６０７、アニメーションデータとして第８のＭＮＧデータファイル６０９、文字データとして第９のＢＭＬデータファイル６１０にコピーしている。
【０１５６】
また、第３のファイル６０４に記録されたアナログ放送としての映像音声６１９から、歌手（動画）６２５、歌（音声）６２６を取り出して、ＭＰＥＧデータとして第４のＭＰＥＧデータファイル６０５、ＭＰＥＧ  ＡＡＣオーディオデータとして第５のＭＰＥＧ  ＡＡＣオーディオデータファイル６０６にコピーしている。
【０１５７】
これらのデータファイル６０５〜６１２は、他の用途に利用したり、動画／静止画／音声／アニメーション／文字データ／ゲームデータ／電子プログラムガイドデータアルバムとして保存したり、あるいは単独で編集、削除、加工、特殊再生などを行うことが可能である。
【０１５８】
ここでは、例としてデータの一部を取り出すとしたが、データの全部でもよく、「コピー」ではなくて第２または第３のファイルからもとのデータを削除する「移動」でもいい。また、放送と同時に、データの全部、または一部を第４〜第１１のファイルに直接記録してもいい。
【０１５９】
また、例として第２、第３のファイルから第４〜第１１のファイルにデータをコピー、移動する例を示したが、第２、第３のファイル同士で、または第４〜第１１のファイルから第２または第３のファイルにデータをコピー、移動してもいい。その場合、フォーマットはコピー、移動先のものに合わせるものとする。
【０１６０】
図７に、管理データを第１のファイルに記録し、タイムマップデータを他のファイルに記録し、デジタル通常放送、連動型データ放送付通常放送データを第２のファイルに記録し、アナログ放送データを第３のファイルに記録し、独立型データ放送、オーディオ放送データを第４のファイルに記録した後、デジタル放送データ、アナログ放送データのうちの一部を第４のファイルにコピーする例を示す。
【０１６１】
図７では、７０１が第１のファイル、７０２が他のファイル、７０３が第２のファイル、７０４が第３のファイル、７０５が第４のファイルである。
【０１６２】
第１のファイル７０１には、管理データ７０６が含まれている。管理データ７０６に関しては、後ほど詳しく説明する。
【０１６３】
他のファイル７０２には、タイムマップデータ７０７が含まれている。７０２、７０７の関係は、図３と同様である。
【０１６４】
第２のファイル７０３には、デジタル通常放送７０８、番組連動型データ放送付通常放送７０９が含まれている。
【０１６５】
第３のファイル７０４には、アナログ放送としての映像音声７１２が含まれている。
【０１６６】
図７に示されているように、第４のファイル７０５は、独立型データ放送７１０、オーディオ放送７１１、ＭＰＥＧ映像データ７１３、ＭＰＥＧ音声データ７１４、ＪＰＥＧデータ７１５、ＰＮＧデータ７１６、ＭＮＧデータ７１７、ＢＭＬデータ７１８、ゲームデータ７１９、電子プログラムガイドデータ７２０から構成される。なお、第４のファイル７０５には、グラフィック、立体映像など、前記以外の方式の映像、音声、データが存在してもいい。また、ＭＰＥＧデータ７１３、７１４は、第２、第３のファイルとは異なったストリームであるＥＳまたはＰＥＳとすることによりメリット大となる。
【０１６７】
ここで、第２のファイル７０３に記録された番組連動型データ放送付通常放送７０９のうちスポーツニュースのサッカーゴール瞬間シーンのみ取り出して、第４のファイル７０５に対して７２１により、ＭＰＥＧ音声データとしてＭＰＥＧ音声データ７１４に、ＪＰＥＧデータとしてＪＰＥＧデータ７１５に、ゲームで使うためのデータとしてゲームデータ７１９にデータをコピーしている。
【０１６８】
また、第３のファイル７０４に記録されたアナログ放送としての映像音声７１２から、同様にサッカーゴール瞬間シーンのみ取り出して、第４のファイル７０５に対して７２２により、ＭＰＥＧ動画データとしてＭＰＥＧ動画データ７１３に、ＭＰＥＧ音声データとしてＭＰＥＧ音声データ７１４にデータをコピーしている。
【０１６９】
これらの「サッカーゴールシーン」データは、他の用途に利用したり、動画アルバム、静止画アルバムとして保存したり、あるいは単独で編集、削除、加工、特殊再生などを行うことが可能である。
【０１７０】
ここでは、例としてデータの一部を取り出すとしたが、データの全部でもよく、「コピー」ではなくて第２または第３のファイルからもとのデータを削除する「移動」でもいい。また、放送と同時に、データの全部、または一部を第４のファイルに直接記録してもいい。
【０１７１】
また、例として第２、第３のファイルから第４のファイルにデータをコピー、移動する例を示したが、第２、第３のファイル同士で、または第４のファイルから第２または第３のファイルにデータをコピー、移動してもいい。その場合、フォーマットはコピー、移動先のものに合わせるものとする。
【０１７２】
図８に、管理データを第１のファイルに記録し、タイムマップデータを他のファイルに記録し、デジタル通常放送、番組連動型データ放送付通常放送データを第２のファイルに記録し、アナログ放送データを第３のファイルに記録し、独立型データ放送、オーディオ放送データを第４のファイルに記録した後、デジタル放送データ、アナログ放送データのうちの一部を、同じ符号化フォーマットを持つ動画、同じ符号化フォーマットを持つ音声、同じ符号化フォーマットを持つ静止画、同じ符号化フォーマットを持つアニメーション、同じ符号化フォーマットを持つ文字データ、同じ符号化フォーマットを持つゲームデータ、同じ符号化フォーマットを持つ電子プログラムガイドデータ同士合わせて、それぞれ第５以降の同じファイルにコピーする例を示す。
【０１７３】
図８では、８０１が第１のファイル、８０２が他のファイル、８０３が第２のファイル、８０４が第３のファイル、８０５が第４のファイル、８０６が第５のファイル、８０７が第６のファイル、８０８が第７のファイル、８０９が第８のファイル、８１０が第９のファイル、８１１が第１０のファイル、８１２が第１１のファイル、８１３が第１２のファイルである。
【０１７４】
第１のファイル８０１には、管理データ８１４が含まれている。管理データ８１４に関しては、後ほど詳しく説明する。
【０１７５】
他のファイル８０２には、タイムマップデータ８１５が含まれている。８０２、８１５の関係は、図３と同様である。
【０１７６】
第２のファイル８０３には、デジタル通常放送８１６、番組連動型データ放送付通常放送８１７が含まれている。
【０１７７】
第３のファイル８０４には、アナログ放送としての映像音声８２０が含まれている。
【０１７８】
第４のファイル８０５には、独立型データ放送８１８、独立オーディオ放送８１９が含まれている。
【０１７９】
第５のファイルはＭＰＥＧ映像ファイル８０６、第６のファイルはＭＰＥＧ音声ファイル８０７、第７のファイルはＪＰＥＧファイル８０８、第８のファイルはＰＮＧファイル８０９、第９のファイルはＭＮＧファイル８１０、第１０のファイルはＢＭＬファイル８１１、第１１のファイルはゲームデータファイル８１２、第１２のファイルは電子プログラムガイドデータファイル８１３である。なお、第５のファイル８０６〜第１２のファイル８１３には、グラフィック、立体映像など、前記以外の方式の映像、音声、データが存在してもいい。また、ＭＰＥＧデータ８０６、８０７は、第２、第３のファイルとは異なったストリームであるＥＳまたはＰＥＳとすることによりメリット大となる。
【０１８０】
ここで、第２のファイル８０３に記録された番組連動型データ放送８１７としての歌番組「○○歌合戦」のうち、歌手（動画）８２１、歌（音声）８２２、衣装（静止画）８２３を取り出して、ＭＰＥＧデータとして第５のＭＰＥＧデータファイル８０６、ＭＰＥＧ  ＡＡＣオーディオデータとして第６のＭＰＥＧ  ＡＡＣオーディオデータファイル８０７、ＪＰＥＧデータとして第７のＪＰＥＧデータファイル８０８にコピーしている。
【０１８１】
また、第３のファイル８０４に記録されたアナログ放送としての映像音声８２０から、歌手（動画）８２６、歌（音声）８２７を取り出して、ＭＰＥＧデータとして第５のＭＰＥＧデータファイル８０６、ＭＰＥＧ  ＡＡＣオーディオデータとして第６のＭＰＥＧ  ＡＡＣオーディオデータファイル８０７にコピーしている。
【０１８２】
また、第４のファイル８０５に記録された独立型データ放送８１８としての歌番組「○○歌合戦」のうち、歌手を示すキャラクタアニメーション８２４、歌手のプロフィールの文字データ８２５を取り出して、アニメーションデータとして第９のＭＮＧデータファイル８１０、文字データとして第１０のＢＭＬデータファイル８１１にコピーしている。
【０１８３】
これらのデータファイル８０６〜８１３は、他の用途に利用したり、動画／静止画／音声／アニメーション／文字データ／ゲームデータ／電子プログラムガイドデータアルバムとして保存したり、あるいは単独で編集、削除、加工、特殊再生などを行うことが可能である。
【０１８４】
ここでは、例としてデータの一部を取り出すとしたが、データの全部でもよく、「コピー」ではなくて第２または第３のファイルからもとのデータを削除する「移動」でもいい。また、放送と同時に、データの全部、または一部を第５〜第１２のファイルに直接記録してもいい。
【０１８５】
また、例として第２、第３のファイルから第５〜第１２のファイルにデータをコピー、移動する例を示したが、第４のファイルから第５〜第１２のファイルに、または第２、第３、第４のファイル同士で、または第５〜第１１のファイルから第２、第３または第４のファイルにデータをコピー、移動してもいい。その場合、フォーマットはコピー、移動先のものに合わせるものとする。
【０１８６】
さて、図３〜図８に示す第３のファイル（３０４、４０４、５０４、６０４、７０４、８０４）における映像音声データ（３０９、４１６、５１２、６１９、７１２、８２０）は、アナログ放送を復調し、ＰＳとしてＭＰＥＧ−２により符号化した、ＰＳストリームであってもいい。
【０１８７】
また、図３〜図８に示す第３のファイルにおける映像音声データは、デジタル放送を復調し、ＴＳであったものをＰＳにトランスコード符号化、即ちフォーマット変換したストリームであってもいい。
【０１８８】
図９に、第３のファイルにおける映像音声データの記録例を示す。
【０１８９】
９０１からデジタル放送データ、９０２からアナログ放送データが入力する。
【０１９０】
９０１は、セットトップボックスなどともいわれているデジタル放送チューナー９０３で復調が行われた後、ＴＳとしてそのまま記録媒体９０８中の第２のファイル９０９に記録されると同時に、ＴＳ／ＰＳ変換９０５に入力する。ただし、記録に際して必要なオーバーヘッド付加、管理データ追加、記録符号化などは表示を省略した。
【０１９１】
ＴＳ／ＰＳ変換９０５は入力したＴＳからＰＳにフォーマット変換を行い、ＰＳストリームとして選択９０７に入力する。
【０１９２】
一方、９０２はアナログ放送チューナー９０４で復調が行われた後、ＰＳ符号化９０６によりＰＳとしてＭＰＥＧ−２により符号化され、選択９０７に入力する。９０７では、デジタル放送またはアナログ放送のＰＳストリームのうち一方が選択され、そのストリームが記録媒体９０８中の第３のファイル９１０に記録される。
【０１９３】
ＴＳは、通信、放送に適した伝送方式であり、編集、特殊再生にはあまり適さないが、デジタル放送データをそのまま簡単に記録可能である。
【０１９４】
ＰＳは、デジタル放送ではＴＳからのフォーマット変換が必要だが、編集、特殊再生に適し、従来ＤＶＤプレーヤでの再生も容易である。
【０１９５】
このように、ＴＳで放送されたデジタル放送データを、ＴＳ／ＰＳ選択して、または双方で記録可能とすることにより、単純記録再生のみならＴＳ記録、編集、特殊再生、他機ＤＶＤプレーヤで再生するときはＰＳ記録とすることができ、ユーザー選択の幅が広がるというメリットを持つ。
【０１９６】
また、第２のファイルに記録されたＴＳで表現された放送ストリームを、ＰＳで表現された映像音声ストリームに変換後、コピーまたは移動により第３のファイルに記録し、管理データ内の放送識別フラグにより記録情報を示してもいい。
【０１９７】
また、第３のファイルに記録されたＴＳで表現された映像音声ストリームを、ＴＳで表現された放送ストリームに変換後、コピーまたは移動により第２のファイルに記録し、管理データ内の放送識別フラグにより記録情報を示してもいい。
【０１９８】
図１０に、第２、第３のファイルにおける放送映像音声データの記録例を示す。
【０１９９】
１００１からデジタル放送データ、１００２からアナログ放送データが入力する。
【０２００】
１００１は、セットトップボックスなどともいわれているデジタル放送チューナー１００３で復調が行われた後、選択１００６または選択１０１１へ入力する。
【０２０１】
一方、１００２はアナログ放送チューナー１００４で復調が行われた後、ＰＳ符号化１００５によりＰＳとしてＭＰＥＧ−２により符号化され、選択１００８または選択１００９に入力する。
【０２０２】
選択１００６は、受信されたデジタル放送または第２のファイル１０１３から再生されたＴＳの一方を選択し、ＴＳ／ＰＳ変換１００７に出力する。ＴＳ／ＰＳ変換１００７は、入力したＴＳをＰＳストリームに変換し、選択１００８に出力する。選択１００８は、デジタル放送をＰＳ変換したストリームとアナログ放送をＰＳ符号化したストリームを選択し、ＰＳとして記録媒体１０１２中の第３のファイル１０１４に記録する。ただし、記録に際して必要なオーバーヘッド付加、管理データ追加、記録符号化などは表示を省略した。
【０２０３】
一方、選択１００９は、受信されたアナログ放送または第３のファイル１０１４から再生されたＰＳの一方を選択し、ＰＳ／ＴＳ変換１０１０に出力する。ＰＳ／ＴＳ変換１０１０は、入力したＰＳをＴＳストリームに変換し、選択１０１１に出力する。選択１０１１は、デジタル放送ＴＳストリームとアナログ放送をＴＳ符号化したストリームを選択し、ＴＳとして記録媒体１０１２中の第２のファイル１０１３に記録する。
【０２０４】
このように、ＴＳで放送されたデジタル放送データ、ＰＳ符号化されたアナログ放送データをそれぞれＴＳ／ＰＳ選択して、または双方で記録し、または、一度記録されたＴＳデータをＴＳ／ＰＳ変換後再記録する、またはＰＳデータをＰＳ／ＴＳ変換後再記録することにより、単純記録再生または記録データを伝送するならＴＳ記録とし、編集、特殊再生、他機ＤＶＤプレーヤで再生するときはＰＳ記録とすることができ、ユーザー選択の幅が広がるというメリットを持つ。
【０２０５】
また、マルチチャンネル記録など、計算時間が間に合わず同時に複数のタイムマップが発生できないとき、とりあえずタイムマップなしで１０１３にＴＳ記録しておき、後から１０１３からデータを読み出してタイムマップを発生するとともに、選択１００６、ＴＳ／ＰＳ変換１００７、選択１００８を経由して、ＰＳとして１０１４にデータをコピーまたは移動する。これにより、容易にタイムマップによる可変速再生、タイムサーチ、タイトルまたはチャプターサーチを実現することができる。
【０２０６】
図１１に、記録媒体内の各ファイル間で、データを通信交換する概念図を示す。
【０２０７】
１１０１からデジタル放送データにＴＳストリーム、１１０２からアナログ放送データをＭＰＥＧ符号化したＰＳストリームが入力する。
【０２０８】
一方、記録媒体１１０３には、第１のファイル１１０４に管理データ、第２のファイル１１０５にＴＳ放送ストリームデータ、第３のファイル１１０６にＰＳ映像音声データ、第４のファイル１１０７にその他のデータが記録される。
【０２０９】
第３のファイル１１０６には、１１０２、または第２のファイル１１０５をＴＳ／ＰＳ変換１１０８により変換したＰＳストリームがコピー、移動により記録される。
【０２１０】
第２のファイル１１０５には、１１０１、または第３のファイル１１０６をＰＳ／ＴＳ変換１１０９により変換したＴＳストリームがコピー、移動により記録される。
【０２１１】
また、第４のファイル１１０７には、第２のファイル１１０５または第３のファイル１１０６から、ＭＰＥＧ、ＪＰＥＧ、ＰＮＧ、ＭＮＧ、ＢＭＬ、ゲームデータ、電子プログラムガイドデータとしてデータがコピー、移動される。
【０２１２】
さらに、第２のファイル１１０５または第３のファイル１１０６には、第４のファイル１１０７から、ＭＰＥＧ  ＴＳまたはＭＰＥＧ  ＰＳとしてデータがコピー、移動される。
【０２１３】
そして、これらのコピー、移動データに関する管理データは、第１のファイル１１０４に一括して記録される。
【０２１４】
このように、各ファイル間でデータを自由にコピー、移動可能とすることにより、ユーザーは最適なファイルに最適なフォーマットでデータを保存することができる。
【０２１５】
これらのファイル、フォーマット選択は、ユーザーが指定してもよく、自動で行われてもいい。
【０２１６】
ところで、ストリーム種別に関しては、ＴＳストリームにＰＳヘッダーを付加したストリーム、ＰＳストリームにＴＳヘッダーを付加したストリームにも対応するものとし、これらはＴＳストリーム、ＰＳストリームのどちらとしてもいい。
【０２１７】
また、ＴＳストリームからＰＳストリームに変換するとき、ＰＳストリームを世界標準規格とするため、ＰＳストリーム用フォーマットを持つオーディオを追加してもいい。ＴＳストリームとしてＭＰＥＧ−２  ＡＡＣオーディオが記録されているとき、ＰＳストリームに変換するときＭＰＥＧ−２  ＡＡＣに加え、ＭＰＥＧ−１レイヤー２オーディオを追加するなどである。この場合、ＭＰＥＧ−１レイヤー２オーディオは冗長度低減のためビットレートを最低値としてもよく、無音とするなども可能である。ＰＳストリームからＴＳストリームに変換するときも同様である。
【０２１８】
図１２に、管理データを第１のファイルに記録し、タイムマップデータを他のファイルに記録し、デジタル通常放送、連動型データ放送付通常放送、独立型データ放送、オーディオ放送データを第２のファイルに記録し、アナログ放送データを第３のファイルに記録し、放送外関連情報の一例として、放送に関連するインターネット情報、番組付加情報、ディレクターズカット情報、ディレクターズコメント情報、Ｅコマース情報、チャット情報、予告情報を第４のファイルに記録する例を示す。
【０２１９】
ここで、放送外関連情報は、放送に関連する放送以外のデータを示し、インターネット付加情報、インターネット放送情報を代表例とするインターネット情報以外に、電話情報、FAX情報、他の記録媒体の情報などが考えられるが、その他の情報でもいい。
【０２２０】
図１２では、１２０１が第１のファイル、１２０２が他のファイル、１２０３が第２のファイル、１２０４が第３のファイル、１２０５が第４のファイルである。
【０２２１】
第１のファイル１２０１には、管理データ１２０６が含まれている。管理データ１２０６に関しては、後ほど詳しく説明する。
【０２２２】
他のファイル１２０２には、タイムマップデータ１２０７が含まれている。１２０２、１２０７の関係は、図３と同様である。
【０２２３】
第２のファイル１２０３には、デジタル通常放送１２０８、番組連動型データ放送付通常放送１２０９、独立型データ放送１２１０、オーディオ放送１２１１が含まれている。
【０２２４】
第３のファイル１２０４には、アナログ放送としての映像音声１２１２が含まれている。
【０２２５】
第４のファイル１２０５には、放送に関連するインターネット情報１２１３、番組付加情報１２１４、ディレクターズカット情報１２１５、ディレクターズコメント情報１２１６、Ｅコマース情報１２１７、チャット情報１２１８、予告情報１２１９から構成される。なお、第４のファイル１２０５には、その他のインターネットに関連する情報が存在してもいい。
【０２２６】
図１２では、第１のファイルに管理データが含まれ、第２のファイルに通常放送、番組連動型データ放送が含まれ、第３のファイルにアナログ放送としての映像音声が含まれ、第４のファイルに独立型データ放送、オーディオ放送が含まれ、第５のファイルに放送に関連するインターネット情報、番組付加情報、ディレクターズカット情報、ディレクターズコメント情報、Ｅコマース情報、チャット情報、予告情報が含まれてもいい。
【０２２７】
他の構成として、第１のファイルに管理データが含まれ、第２のファイルに通常放送と番組連動型データ放送が含まれ、第３のファイルにアナログ放送としての映像音声が含まれ、第４のファイルに独立型データ放送、オーディオ放送と、放送に関連するインターネット情報、番組付加情報、ディレクターズカット情報、ディレクターズコメント情報、Ｅコマース情報、チャット情報、予告情報が含まれてもいい。
【０２２８】
図１３に、管理データを第１のファイルに記録し、タイムマップデータを他のファイルに記録し、デジタル通常放送、連動型データ放送付通常放送、独立型データ放送、オーディオ放送データを第２のファイルに記録し、アナログ放送データを第３のファイルに記録し、放送に関連するインターネット情報、番組付加情報、ディレクターズカット情報、ディレクターズコメント情報、Ｅコマース情報、チャット情報、予告情報を第４のファイルに記録し、第２、第３または第４のファイルの一部を第４のファイルにコピーする例を示す。
【０２２９】
図１３では、１３０１が第１のファイル、１３０２が他のファイル、１３０３が第２のファイル、１３０４が第３のファイル、１３０５が第４のファイルである。
【０２３０】
第１のファイル１３０１には、管理データ１３０６が含まれている。管理データ１３０６に関しては、後ほど詳しく説明する。
【０２３１】
他のファイル１３０２には、タイムマップデータ１３０７が含まれている。１３０２、１３０７の関係は、図３と同様である。
【０２３２】
第２のファイル１３０３には、通常放送１３０８、番組連動型データ放送１３０９、独立型データ放送１３１０、オーディオ放送１３１１が含まれている。
【０２３３】
第３のファイル１３０４には、アナログ放送としての映像音声１３１２が含まれている。
【０２３４】
第４のファイル１３０５は、ＭＰＥＧ映像データ１３１３、ＭＰＥＧ音声データ１３１４、ＪＰＥＧデータ１３１５、ＰＮＧデータ１３１６、ＭＮＧデータ１３１７、ＢＭＬデータ１３１８、ゲームデータ１３１９、電子プログラムガイドデータ１３２０、および、放送に関連するインターネット情報１３２１、番組付加情報１３２２、ディレクターズカット情報１３２３、ディレクターズコメント情報１３２４、Ｅコマース情報１３２５、チャット情報１３２６、予告情報１３２７から構成される。なお、第４のファイル１３０５には、グラフィック、立体映像など、前記以外の方式の映像、音声、データが存在してもいい。またその他のインターネットに関連する情報が存在してもいい。また、ＭＰＥＧデータ１３１３、１３１４は、第２、第３のファイルとは異なったストリームであるＥＳまたはＰＥＳとすることによりメリット大となる。
【０２３５】
ここで、第２のファイル１３０３から、独立型データ放送１３１０として記録された映画「△△ウォーズ」の戦闘シーンに関する動画情報１３２８、音声情報１３２９を取り出して、ＭＰＥＧデータとして第４のファイル１３０５中のＭＰＥＧ映像データ１３１３、ＭＰＥＧ音声データ１３１４にそれぞれコピーする。
【０２３６】
また、第３のファイル１３０４から、映像音声１３１２として武器関連音声情報１３３０、武器の静止画１３３１を取り出して、第４のファイル１３０５中のＭＰＥＧ音声データ１３１４、ＪＰＥＧデータ１３１５にそれぞれコピーする。
【０２３７】
また、第４のファイル１３０５にインターネットから記録されたインターネット情報、番組付加情報における戦闘シーンＢＭＬ情報１３３２、武器関連ゲームデータ１３３３を取り出して、第４のファイル１３０５中のＢＭＬデータ１３１８、ゲームデータ１３１９にそれぞれコピーする。
【０２３８】
このようにして記録された１３１３〜１３２０は、他の用途に利用したり、動画／音声／静止画／情報アルバムとして保存したり、あるいは単独で編集、削除、加工、特殊再生などを行うことが可能である。
【０２３９】
例としてデータの一部を取り出すとしたが、データの全部でもよく、「コピー」ではなくて第２、第３、第４のファイルからもとのデータを削除する「移動」でもいい。また、放送またはインターネット配信と同時に、データの全部、または一部を第４のファイルに直接記録してもいい。
【０２４０】
また、例として第２、第３、第４のファイルから第４のファイルにデータをコピー、移動する例を示したが、第２、第３のファイル同士で、または第４のファイルから第２または第３のファイルにデータをコピー、移動してもいい。その場合、フォーマットはコピー、移動先のものに合わせるものとする。
【０２４１】
また、１３１３〜１３２７を第４のファイル１３０５としたが、１３１３〜１３２０を第４のファイル、１３２１〜１３２７を第５のファイルとしてもいい。
【０２４２】
さらに、それぞれにおいて、１３１３〜１３２７をすべて独立のファイルとしてもいい。
【０２４３】
図１４に、管理データを第１のファイルに記録し、タイムマップデータを他のファイルに記録し、デジタル通常放送、連動型データ放送付通常放送データを第２のファイルに記録し、アナログ放送データを第３のファイルに記録し、独立型データ放送、オーディオ放送データを第４のファイルに記録し、放送に関連するインターネット情報、番組付加情報、ディレクターズカット情報、ディレクターズコメント情報、Ｅコマース情報、チャット情報、予告情報を第５のファイルに記録し、第２、第３、第４または第５のファイルの一部を第５のファイルにコピーする例を示す。
【０２４４】
図１４では、１４０１が第１のファイル、１４０２が他のファイル、１４０３が第２のファイル、１４０４が第３のファイル、１４０５が第４のファイル、１４０６が第５のファイルである。
【０２４５】
第１のファイル１４０１には、管理データ１４０７が含まれている。管理データ１４０７に関しては、後ほど詳しく説明する。
【０２４６】
他のファイル１４０２には、タイムマップデータ１４０８が含まれている。１４０２、１４０８の関係は、図３と同様である。
【０２４７】
第２のファイル１４０３には、通常放送１４０９、番組連動型データ放送１４１０が含まれている。
【０２４８】
第３のファイル１４０４には、アナログ放送としての映像音声１４１３が含まれている。
【０２４９】
第４のファイル１４０５には、独立型データ放送１４１１、オーディオ放送１４１２が含まれている。
【０２５０】
第５のファイル１４０６は、ＭＰＥＧ映像データ１４１４、ＭＰＥＧ音声データ１４１５、ＪＰＥＧデータ１５１６、ＰＮＧデータ１４１７、ＭＮＧデータ１４１８、ＢＭＬデータ１４１９、ゲームデータ１４２０、電子プログラムガイドデータ１４２１、および、放送に関連するインターネット情報１４２２、番組付加情報１４２３、ディレクターズカット情報１４２４、ディレクターズコメント情報１４２５、Ｅコマース情報１４２６、チャット情報１４２７、予告情報１４２８から構成される。なお、第５のファイル１４０６には、グラフィック、立体映像など、前記以外の方式の映像、音声、データが存在してもいい。またその他のインターネットに関連する情報が存在してもいい。また、ＭＰＥＧデータ１４１４、１４１５は、第２、第３のファイルとは異なったストリームであるＥＳまたはＰＥＳとすることによりメリット大となる。
【０２５１】
ここで、第２のファイル１４０３から、番組連動型データ放送１４１０として記録された映画「△△ウォーズ」の戦闘シーンに関する動画情報１４２９を取り出して、ＭＰＥＧデータとして第５のファイル１４０６中のＭＰＥＧ映像データ１４１４にコピーする。
【０２５２】
また、第３のファイル１４０４から、映像音声１４１３として武器関連音声情報１４３０、武器の静止画１４３１を取り出して、第５のファイル１４０６中のＭＰＥＧ音声データ１４１５、ＪＰＥＧデータ１４１６にそれぞれコピーする。
【０２５３】
また、第４のファイル１４０５から、独立型データ放送１４１１として記録された映画「△△ウォーズ」の戦闘シーンに関する音声情報１４３２を取り出して、ＭＰＥＧデータとして第５のファイル１４０６中のＭＰＥＧ音声データ１４１５にコピーする。
【０２５４】
また、第５のファイル１４０６にインターネットから記録されたインターネット情報、番組付加情報における戦闘シーンＢＭＬ情報１４３３、武器関連ゲームデータ１４３４を取り出して、第５のファイル１４０６中のＢＭＬデータ１４１９、ゲームデータ１４２０にそれぞれコピーする。
【０２５５】
このようにして記録された１４１４〜１４２１は、他の用途に利用したり、動画／音声／静止画／情報アルバムとして保存したり、あるいは単独で編集、削除、加工、特殊再生などを行うことが可能である。
【０２５６】
例としてデータの一部を取り出すとしたが、データの全部でもよく、「コピー」ではなくて第２、第３、第４、第５のファイルからもとのデータを削除する「移動」でもいい。また、放送またはインターネット配信と同時に、データの全部、または一部を第５のファイルに直接記録してもいい。
【０２５７】
また、例として第２、第３、第４、第５のファイルから第５のファイルにデータをコピー、移動する例を示したが、第２、第３、第４のファイル同士で、または第５のファイルから第２、第３または第４のファイルにデータをコピー、移動してもいい。その場合、フォーマットはコピー、移動先のものに合わせるものとする。
【０２５８】
また、１４１２、１４１３を第４のファイル１４０５、１４１４〜１４２８を第５のファイル１４０６としたが、１４１２〜１４２８すべてを第４のファイルとしてもいい。
【０２５９】
または、１４１２〜１４２１を第４のファイル、１４２２〜１４２８を第５のファイルとしてもいい。
【０２６０】
または、１４１２、１４１３、１４２２〜１４２８を第４のファイル、１４１４〜１４２１を第５のファイルとしてもいい。
【０２６１】
さらに、それぞれにおいて、１４１４〜１４２８をすべて独立のファイルとしてもいい。
【０２６２】
さらに、それぞれにおいて、１４１２〜１４２８をすべて独立のファイルとしてもいい。
【０２６３】
以上いくつかの例を述べてきたが、前記映像データには、映像データと音声データが両方含まれていてもいい。
【０２６４】
基本的には、第２のファイルに記録するストリームはＴＳであり、第３以降のファイルに記録するストリームはＴＳでないが、そのルールに従わなくてもいい。
【０２６５】
データ放送には、番組連動型データ放送、独立型データ放送、オーディオ放送またはラジオ放送、または文字放送が含まれる。
【０２６６】
これまで述べたように、番組連動型データ放送を第２のファイルに記録し、独立型データ放送、オーディオ放送またはラジオ放送、または文字放送を第４のファイルに記録してもいい。
【０２６７】
コピーまたは移動するデータは、動画データ、静止画データ、音声データ、アニメーションデータ、文字データ、ゲームデータ、電子プログラムガイドデータ、グラフィックデータ、立体映像データのうち全部、または一部とする。
【０２６８】
放送外関連情報は、放送に関連するインターネット情報、番組付加情報、ディレクターズカット情報、ディレクターズコメント情報、Ｅコマース情報、チャット情報、予告情報といったインターネット付加情報、インターネット放送情報のうち全部または一部とする。ここで、インターネット放送情報は、インターネットを通して送られるストリーミングビデオオーディオ情報などを示す。
【０２６９】
また、第２以降のファイルのうち、一部のファイルが存在しなくてもいい。具体的に説明すると、本発明では、管理データを記録した第１のファイルと、入力した放送映像音声データ及びコピー又は移動の結果得られた記録放送映像音声データのうち、少なくとも一方を格納データとして記録したデータファイルだけでも良い。この場合におけるデータファイルには、前述した第４以降のファイルが含まれており、これらのファイルには、前記格納データが第１のファイルに記録された管理データに対応したフォーマットで記録されている。換言すれば、本発明に係る記録媒体は、互いに異なるフォーマットの放送映像音声データを記録できるフォーマットを備えている。いずれにしても、第４のファイル以降に格納されるデータは、他のファイルのデータ又は放送映像音声のデータに、コピー、移動、編集、削除、加工、特殊再生等の処理を施すことによって得られたデータであり、第４のファイル以降に格納されるデータを総称して編集済データと呼ぶことができる。
【０２７０】
次に、図３における３０６、図４における４１３、図５における５０６、図６における６１３、図７における７０６、図８における８１４、図１２における１２０６、図１３における１３０６、図１４における１４０７に示す、管理データに関して詳細を述べる。
【０２７１】
管理ファイルには、データ放送記録ファイル識別フラグ、放送外関連情報記録ファイル識別フラグ、データ放送識別フラグ、または放送外関連情報識別フラグが管理データとして記録されてもいい。
【０２７２】
放送記録ファイル識別フラグは、相当するファイルに、データ放送なしデジタル通常放送、番組連動型データ放送付デジタル通常放送、独立型データ放送、オーディオ放送またはラジオ放送、文字放送、アナログ放送がそれぞれ記録されているか否か、またはそれぞれの放送が記録されているファイルを示す。
【０２７３】
放送外関連情報記録ファイル識別フラグは、相当するファイルに、放送外関連情報が記録されているか否か、または放送外関連情報が記録されているファイルを示す。
【０２７４】
放送識別フラグは、相当するストリームに、データ放送なしデジタル通常放送、番組連動型データ放送付デジタル通常放送、独立型データ放送、オーディオ放送またはラジオ放送、文字放送、アナログ放送がそれぞれ記録されているか否か、記録されている放送データないし放送外関連情報のうち、直接記録または他のファイルからコピーまたは移動されたデータが、直接記録かコピーか移動かの別、コピーまたは移動のときソースが存在するかどうかと存在するときファイル名、ソースストリーム名、ソースストリームナンバー、コピーまたは移動、かつソースが分かっているときソースデータと記録データに関して、その他のとき記録データに関して、データが動画／音声／静止画／アニメーション／文字データ／ゲームデータ／電子プログラムガイドデータ／グラフィックデータ／立体映像データ／インターネットデータの別、動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータのときグラフィックデータ方式、立体映像データのとき立体映像データ方式、およびストリーム形式を示す。
【０２７５】
放送外関連情報識別フラグは、相当するストリームに、放送外関連情報が記録されているか否か、放送外関連情報が通常インターネットデータかストリーミングデータかその他のデータかを示すフラグを示す。
【０２７６】
また、管理ファイルには、放送記録ファイル識別フラグ、放送外関連情報記録ファイル識別フラグ、放送識別フラグ、放送外関連情報識別フラグ、および、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、が記録されてもいい。
【０２７７】
また、前記のうち、動画データ圧縮方式としてMPEGビデオかH.264ビデオかWindows（登録商標）Mediaビデオかの種別、音声データ圧縮方式としてMPEGオーディオかDolbyオーディオかDTSオーディオかの種別、静止画データ圧縮方式としてJPEGかPNGかの種別が示されてもいい。
【０２７８】
前記管理ファイルデータは、そのすべてが記録されなくてもよく、一部が記録されるだけでもいい。
【０２７９】
さらに具体的な例を示すと、以下のようになる。
【０２８０】
ファイル構成を図１５〜図２３に示す。
【０２８１】
全体のファイル名をDVD_HDVRとした。
【０２８２】
DVD_HDVRは、HR_MANGR.IFOファイル、HR_STMAP.IFOファイル、HR_VTMAP.IFOファイル、HR_STRMx.SROファイル、HR_MOVIE.IFOファイル、HR_EXTBC.DATファイルなどのファイルから構成される。これらのファイルはすべて存在しなくてもよく、HR_MANGR.BUPというバックアップファイルを初めとする他のファイルが存在してもいい。
【０２８３】
図３における３０６、図４における４１３、図５における５０６、図６における６１３、図７における７０６、図８における８１４、図１２における１２０６、図１３における１３０６、図１４における１４０７に示す管理データは、HR_MANGR.IFOファイルに相当する。
【０２８４】
HR_MANGR.IFOは、Stream File Information Table（STM_AVFIT）、Movie AV File Information Table（M_AVFIT）、Extra Broadcast File Information Table（EXT_AVFIT）、その他のデータから構成される。
【０２８５】
Stream File Information Table（STM_AVFIT）は、STM_AVFIT Information（ファイル全体の情報）、SOB Stream Information #1  〜  SOB Stream Information #n（各SOBストリームの情報）、その他のデータから構成される。SOB Stream Informationは、一回記録が行われるごとに１個ずつ発生する。
【０２８６】
STM_AVFIT Informationには、以下のフラグ、データが含まれる。
【０２８７】
・Broadcast recording file ID flag：放送記録ファイル識別フラグ
６ビット以上のフラグデータである。
【０２８８】
第0ビット  0：HR_STRMx.SROにデータ放送なしデジタル放送が含まれない  1：含まれる
第1ビット  0：HR_STRMx.SROに連動型データ放送付デジタル放送が含まれない  1：含まれる
第2ビット  0：HR_STRMx.SROに独立データ放送が含まれない  1：含まれる
第3ビット  0：HR_STRMx.SROに独立オーディオ（ラジオ）放送が含まれない  1：含まれる
第4ビット  0：HR_STRMx.SROに文字放送が含まれない  1：含まれる
第5ビット  0：HR_STRMx.SROにアナログ放送が含まれない  1：含まれる
を示し、その他のビットを保留とする。
【０２８９】
・Extra broadcast related data recording file ID flag：放送外関連情報記録ファイル識別フラグ
１ビット以上のフラグデータである。
【０２９０】
第0ビット  0：HR_STRMx.SROに放送外関連情報が含まれない  1：含まれる
を示し、その他のビットを保留とする。
【０２９１】
SOB Stream Informationは、以下のフラグ、データから構成される。
【０２９２】
・Broadcast ID flag（放送識別フラグ）
＊Broadcast flag（放送フラグ）
６ビット以上のフラグデータである。
【０２９３】
第0ビット  0：SOB Streamにデータ放送なしデジタル放送が含まれない  1：含まれる
第1ビット  0：SOB Streamに連動型データ放送付デジタル放送が含まれない  1：含まれる
第2ビット  0：SOB Streamに独立データ放送が含まれない  1：含まれる
第3ビット  0：SOB Streamに独立オーディオ（ラジオ）放送が含まれない  1：含まれる
第4ビット  0：SOB Streamに文字放送が含まれない  1：含まれる
第5ビット  0：SOB Streamにアナログ放送が含まれない  1：含まれる
を示し、その他のビットを保留とする。
【０２９４】
＊Copy move flag（コピーまたは移動）
000：オリジナル、  001：コピー、  010：移動、  その他：保留
＊Source file information（ソースファイル情報）
000：オリジナル
001：コピーまたは移動データ、かつソース存在せず、またはソース存在場所不明
010：コピーまたは移動データ、かつソースがHR_STRMx.SROに存在
011：コピーまたは移動データ、かつソースがHR_MOVIE.VROに存在
100：コピーまたは移動データ、かつソースがHR_EXTBC.DATに存在
その他：保留
＊Source stream name（ソースストリーム名）
ソースストリーム名が存在するときストリーム名、存在しないときALL "0"
＊Source stream number（ソースストリームナンバー）
ソースストリームのSOBナンバー、VOBナンバー、またはExtra Streamナンバー
＊Source video mode（ソースビデオモード）
000：MPEG-2、001：MPEG-1、010：MPEG-4、011：H.264、100：WM9、その他：保留
＊Source audio mode（ソースオーディオモード）
000：MPEG-2 AAC、001：Dolby AC-3、010：MPEG-1、011：MPEG-2 BC
100：DTS、101：LPCM、その他：保留
＊Source still-picture mode（ソース静止画モード）
000：JPEG、001：PNG、その他：保留
＊Source animation mode（ソースアニメーションモード）
000：MNG、その他：保留
＊Source Data broadcast mode（ソースデータ放送モード）
000：BML、その他：保留
＊Source Game data mode（ソースゲームデータモード、内容保留）
＊Source EPG data mode（ソースEPGデータモード、内容保留）
＊Source Graphic mode（ソースグラフィックモード、内容保留）
＊Source 3D video mode（ソース立体映像モード、内容保留）
＊Source stream mode（ソースストリームモード）
000：TS、001：PS、010：PES、011：ES、その他：保留
＊Recorded data video mode（コピー／移動データビデオモード）
000：MPEG-2、001：MPEG-1、010：MPEG-4、011：H.264、100：WM9、その他：保留
＊Recorded data audio mode（コピー／移動データオーディオモード）
000：MPEG-2 AAC、001：Dolby AC-3、010：MPEG-1、011：MPEG-2 BC
100：DTS、101：LPCM、その他：保留
＊Recorded data still-picture mode（コピー／移動データ静止画モード）
000：JPEG、001：PNG、その他：保留
＊Recorded data animation mode（コピー／移動データアニメーションモード）
000：MNG、その他：保留
＊Recorded data Data broadcast mode（コピー／移動データデータ放送モード）
000：BML、その他：保留
＊Recorded data Game data mode（コピー／移動データゲームデータモード、内容保留）
＊Recorded data EPG data mode（コピー／移動データEPGデータモード、内容保留）
＊Recorded data Graphic mode（コピー／移動データグラフィックモード、内容保留）
＊Recorded data 3D video mode（コピー／移動データ立体映像モード、内容保留）
＊Recorded data stream mode（コピー／移動データストリームモード）
000：TS、  001：PS、  010：PES、  011：ES、その他：保留
・Extra broadcast related data ID flag（放送外関連情報識別フラグ）
＊Extra broadcast related data flag（放送外関連情報フラグ）
第0ビット  0：SOB Streamに放送外関連情報が含まれない  1：含まれる
を示し、その他のビットを保留とする。
【０２９５】
＊Broadcast related data content（放送外関連情報コンテンツ）
000：放送外関連情報が通常のインターネットデータ、  001：ストリーミングデータ
010：その他、その他：保留
・Data broadcast data（データ放送関連データ）
＊Transmission mode（伝送モード）
00：データカルーセルモード、01：イベントメッセージ伝送モード、10：両者を含む伝送モード
その他：保留
＊Data Carrousel Auto renewal（データカルーセル自動更新）
00：放送Data Carrousel全データ記録モード
01：放送Data Carrousel中更新データのみ選択記録モード、その他：保留
＊Refresh flag（自動更新フラグ）
00：ニュース、天気予報、株式情報などで、新しいデータによる古いデータ自動更新OFF
01：ニュース、天気予報、株式情報などで、新しいデータによる古いデータ自動更新ON、その他：保留
＊Refresh start time（最新データ更新開始時刻、5バイト）
年（14ビット）、月（4ビット）、日（5ビット）、時（5ビット）、分（6ビット）、秒（6ビット）
＊Refresh end time（最新データ更新終了時刻、5バイト）
年（14ビット）、月（4ビット）、日（5ビット）、時（5ビット）、分（6ビット）、秒（6ビット）
＊Time map flag（タイムマップフラグ）
00：ストリームにタイムマップなし、01：ストリームにタイムマップあり、その他：保留
＊Storage broadcast flag（蓄積型放送フラグ）
00：通常放送ストリーム、01：蓄積型放送ストリーム、その他：保留
Movie AV File Information Table（M_AVFIT）は、M_AVFIT Information（ファイル全体の情報）、MOVIE VOB Information #1  〜  MOVIE VOB Information #n（各VOBの情報）、その他のデータから構成される。MOVIE VOB Informationは、一回記録が行われるごとに１個ずつ発生する。
【０２９６】
M_AVFIT Informationには、以下のフラグ、データが含まれる。
【０２９７】
・Broadcast recording file ID flag（放送記録ファイル識別フラグ）
・Extra broadcast related data recording file ID flag（放送外関連情報記録ファイル識別フラグ）
MOVIE VOB Informationは、以下のフラグ、データから構成される。
【０２９８】
・Broadcast ID flag（放送識別フラグ）
＊Broadcast flag（放送フラグ）
＊Copy move flag（コピーまたは移動）
＊Source file information（ソースファイル情報）
＊Source stream name（ソースストリーム名）
＊Source stream number（ソースストリームナンバー）
＊Source video mode（ソースビデオモード）
＊Source audio mode（ソースオーディオモード）
＊Source still-picture mode（ソース静止画モード）
＊Source animation mode（ソースアニメーションモード）
＊Source Data broadcast mode（ソースデータ放送モード）
＊Source Game data mode（ソースゲームデータモード）
＊Source EPG data mode（ソースEPGデータモード）
＊Source Graphic mode（ソースグラフィックモード）
＊Source 3D video mode（ソース立体映像モード）
＊Source stream mode（ソースストリームモード）
＊Recorded data video mode（コピー／移動データビデオモード）
＊Recorded data audio mode（コピー／移動データオーディオモード）
＊Recorded data still-picture mode（コピー／移動データ静止画モード）
＊Recorded data animation mode（コピー／移動データアニメーションモード）
＊Recorded data Data broadcast mode（コピー／移動データデータ放送モード）
＊Recorded data Game data mode（コピー／移動データゲームデータモード）
＊Recorded data EPG data mode（コピー／移動データEPGデータモード）
＊Recorded data Graphic mode（コピー／移動データグラフィックモード）
＊Recorded data 3D video mode（コピー／移動データ立体映像モード）
＊Recorded data stream mode（コピー／移動データストリームモード）
・Extra broadcast related data ID flag（放送外関連情報識別フラグ）
＊Extra broadcast related data flag（放送外関連情報フラグ）
＊Broadcast related data content（放送外関連情報コンテンツ）
ここで、Data broadcast data（データ放送関連データ）は存在しない。
【０２９９】
各データ内容はStream File Information Table（STM_AVFIT）と同じ内容のため、説明を省略する。
【０３００】
Extra Broadcast File Information Table（EXT_AVFIT）は、EXT_AVFIT Information（ファイル全体の情報）、EXT Stream Information #1  〜  EXT Stream Information #n（各ストリームの情報）、その他のデータから構成される。
【０３０１】
EXT_AVFIT Informationには、以下のフラグ、データが含まれる。
【０３０２】
・Broadcast recording file ID flag（放送記録ファイル識別フラグ）
・Extra broadcast related data recording file ID flag（放送外関連情報記録ファイル識別フラグ）
EXT stream Informationは、以下のフラグ、データから構成される。
【０３０３】
・Broadcast ID flag（放送識別フラグ）
＊Broadcast flag（放送フラグ）
＊Copy move flag（コピーまたは移動）
＊Source file information（ソースファイル情報）
＊Source stream name（ソースストリーム名）
＊Source stream number（ソースストリームナンバー）
＊Source video mode（ソースビデオモード）
＊Source audio mode（ソースオーディオモード）
＊Source still-picture mode（ソース静止画モード）
＊Source animation mode（ソースアニメーションモード）
＊Source Data broadcast mode（ソースデータ放送モード）
＊Source Game data mode（ソースゲームデータモード）
＊Source EPG data mode（ソースEPGデータモード）
＊Source Graphic mode（ソースグラフィックモード）
＊Source 3D video mode（ソース立体映像モード）
＊Source stream mode（ソースストリームモード）
＊Recorded data video mode（コピー／移動データビデオモード）
＊Recorded data audio mode（コピー／移動データオーディオモード）
＊Recorded data still-picture mode（コピー／移動データ静止画モード）
＊Recorded data animation mode（コピー／移動データアニメーションモード）
＊Recorded data Data broadcast mode（コピー／移動データデータ放送モード）
＊Recorded data Game data mode（コピー／移動データゲームデータモード）
＊Recorded data EPG data mode（コピー／移動データEPGデータモード）
＊Recorded data Graphic mode（コピー／移動データグラフィックモード）
＊Recorded data 3D video mode（コピー／移動データ立体映像モード７）
＊Recorded data stream mode（コピー／移動データストリームモード）
・Extra broadcast related data ID flag（放送外関連情報識別フラグ）
＊Extra broadcast related data flag（放送外関連情報フラグ）
＊Broadcast related data content（放送外関連情報コンテンツ）
・Data broadcast data（データ放送関連データ）は存在しない。
【０３０４】
＊Transmission mode（伝送モード）
＊Data Carrousel Auto renewal（データカルーセル自動更新）
＊Refresh flag（自動更新フラグ）
＊Refresh start time（最新データ更新開始時刻、5バイト）
＊Refresh end time（最新データ更新終了時刻、5バイト）
＊Time map flag（タイムマップフラグ）
＊Storage broadcast flag（蓄積型放送フラグ）
各データ内容はStream File Information Table（STM_AVFIT）と同じ内容のため、説明を省略する。
【０３０５】
HR_STMAP.IFOは、HR_STRMx.SRO用タイムマップテーブルであり、
・1STREF_SZ：SOBU第1リファレンスピクチャーサイズ
・SOBU_PB_TM：SOBU再生時間（ビデオフィールド数）
・SOBU_SZ：SOBUサイズ（セクター数）
から構成される。
【０３０６】
HR_VTMAP.IFOは、HR_MOVIE.VRO用タイムマップテーブルであり、
・1STREF_SZ：VOBU第1リファレンスピクチャーサイズ
・VOBU_PB_TM：VOBU再生時間（ビデオフィールド数）
・VOBU_SZ：VOBUサイズ（セクター数）
から構成される。
【０３０７】
HR_STRMx.SROは、ストリームデータファイルであり、
デジタル放送、番組連動型データ放送付デジタル放送、独立型データ放送、オーディオ放送ストリーム
文字放送データ
から構成される。
【０３０８】
HR_MOVIE.VROは、動画データファイルであり、
アナログ放送映像音声ストリーム
から構成される。
【０３０９】
HR_EXTBC.DATは、データファイルであり、
データ放送直接記録、または一部をコピーまたは移動したデータファイル、その他のストリーム
から構成される。
【０３１０】
さて、管理データを使い、以下のように放送映像音声データのコピーが行われる。
【０３１１】
ユーザーは、コピーするソースファイル、ソースストリーム、コピー先ファイル、コピー先ストリーム、コピー開始時刻、終了時刻を入力する。これは、通常リモコンなどにより、特定のデータ放送コンテンツ、開始点、終了点が指定される。
【０３１２】
この制御信号は、図１における制御入力１０４から入力され、記録データ・記録ファイル決定、管理データ発生、データコピー・移動制御１２０により、決定、発生、制御が行われる。
【０３１３】
ソースファイルをHR_STRMx.SRO、コピー先ファイルをHR_EXTBC.DAT、コピーデータを独立データ放送、ストリームナンバーを03Hとして、コピー開始時刻、終了時刻に従って、指定されたコピー先ファイルにコピーされたデータに関する管理データの例を示す。
【０３１４】
管理データHR_MANGR.IFO中、
Stream File Information Table（STM_AVFIT）のSTM_AVFIT Informationにおいて、
・Data broadcast recording file ID flag
第0ビット  0：HR_STRMx.SROにデータ放送なしデジタル放送が含まれない
第1ビット  0：HR_STRMx.SROに連動型データ放送付デジタル放送が含まれない
第2ビット  1：HR_STRMx.SROに独立データ放送が含まれる
第3ビット  0：HR_STRMx.SROに独立オーディオ（ラジオ）放送が含まれない
第4ビット  0：HR_STRMx.SROに文字放送が含まれない
第5ビット  0：HR_STRMx.SROにアナログ放送が含まれない
・Extra broadcast related data recording file ID flag：放送外関連情報記録ファイル識別フラグ
第0ビット  0：HR_STRMx.SROに放送外関連情報が含まれない
また、Stream File Information Table（STM_AVFIT）のSOB Stream Informationにおいて、
・Broadcast ID flag
＊Broadcast flag
第0ビット  0：SOB Streamにデータ放送なしデジタル放送が含まれない
第1ビット  0：SOB Streamに連動型データ放送付デジタル放送が含まれない
第2ビット  1：SOB Streamに独立データ放送が含まれる
第3ビット  0：SOB Streamに独立オーディオ（ラジオ）放送が含まれない
第4ビット  0：SOB Streamに文字放送が含まれない
第5ビット  0：SOB Streamにアナログ放送が含まれない
＊Copy move flag  001：コピー
＊Source file information  000：オリジナル
＊Source stream name  ALL "0"
＊Source stream number  03H
＊Source video mode  000：MPEG-2
＊Source audio mode  000：MPEG-2 AAC
＊Source still-picture mode  000：JPEG
＊Source animation mode  000：MNG
＊Source Data broadcast mode  000：BML
＊Source Game data mode  ALL "0"
＊Source EPG data mode  ALL "0"
＊Source Graphic mode  ALL "0"
＊Source 3D video mode  ALL "0"
＊Source stream mode  000：TS
＊Recorded data video mode  000：MPEG-2
＊Recorded data audio mode  000：MPEG-2 AAC
＊Recorded data still-picture mode  000：JPEG
＊Recorded data animation mode  000：MNG
＊Recorded data Data broadcast mode  000：BML
＊Recorded data Game data mode  ALL "0"
＊Recorded data EPG data mode  ALL "0"
＊Recorded data Graphic mode  ALL "0"
＊Recorded data 3D video mode  ALL "0"
＊Recorded data stream mode  000：TS
・Extra broadcast related data ID flag
＊Extra broadcast related data flag
第0ビット  0：SOB Streamに放送外関連情報が含まれない
＊Broadcast related data content
000：放送外関連情報が通常のインターネットデータ
・Data broadcast data
＊Transmission mode  00：データカルーセルモード
＊Data Carrousel Auto renewal  00：放送Data Carrousel全データ記録モード
＊Refresh flag  00：新しいデータによる古いデータ自動更新OFF
＊Refresh start time
年（14ビット）、月（4ビット）、日（5ビット）、時（5ビット）、分（6ビット）、秒（6ビット）
＊Refresh end time
年（14ビット）、月（4ビット）、日（5ビット）、時（5ビット）、分（6ビット）、秒（6ビット）
＊Time map flag  00：ストリームにタイムマップなし
＊Storage broadcast flag  00：通常放送ストリーム
Extra Broadcast File Information Table（EXT_AVFIT）のEXT_AVFIT Informationにおいて、
・Data broadcast recording file ID flag
第0ビット  0：HR_EXTBC.DATにデータ放送なしデジタル放送が含まれない
第1ビット  0：HR_EXTBC.DATに連動型データ放送付デジタル放送が含まれない
第2ビット  1：HR_EXTBC.DATに独立データ放送が含まれる
第3ビット  0：HR_EXTBC.DATに独立オーディオ（ラジオ）放送が含まれない
第4ビット  0：HR_EXTBC.DATに文字放送が含まれない
第5ビット  0：HR_EXTBC.DATにアナログ放送が含まれない
・Extra broadcast related data recording file ID flag：放送外関連情報記録ファイル識別フラグ
第0ビット  0：HR_EXTBC.DATに放送外関連情報が含まれない
また、Extra Broadcast File Information Table（EXT_AVFIT）のEXT Stream Informationにおいて、
・Broadcast ID flag
＊Broadcast flag
第0ビット  0：EXT Streamにデータ放送なしデジタル放送が含まれない
第1ビット  0：EXT Streamに連動型データ放送付デジタル放送が含まれない
第2ビット  1：EXT Streamに独立データ放送が含まれる
第3ビット  0：EXT Streamに独立オーディオ（ラジオ）放送が含まれない
第4ビット  0：EXT Streamに文字放送が含まれない
第5ビット  0：EXT Streamにアナログ放送が含まれない
＊Copy move flag  001：コピー
＊Source file information  010：コピーデータ、かつソースがHR_STRMx.SROに存在
＊Source stream name  ALL "0" 
＊Source stream number  03H
＊Source video mode  000：MPEG-2
＊Source audio mode  000：MPEG-2 AAC
＊Source still-picture mode  000：JPEG
＊Source animation mode  000：MNG
＊Source Data broadcast mode  000：BML
＊Source Game data mode  ALL "0"
＊Source EPG data mode  ALL "0"
＊Source Graphic mode  ALL "0"
＊Source 3D video mode  ALL "0"
＊Source stream mode  000：TS
＊Recorded data video mode  000：MPEG-2
＊Recorded data audio mode  000：MPEG-2 AAC
＊Recorded data still-picture mode  000：JPEG
＊Recorded data animation mode  000：MNG
＊Recorded data Data broadcast mode  000：BML
＊Recorded data Game data mode  ALL "0"
＊Recorded data EPG data mode  ALL "0"
＊Recorded data Graphic mode  ALL "0"
＊Recorded data 3D video mode  ALL "0"
＊Recorded data stream mode  000：TS
・Extra broadcast related data ID flag
＊Extra broadcast related data flag
第0ビット  0：EXT Streamに放送外関連情報が含まれない
＊Broadcast related data content
000：放送外関連情報が通常のインターネットデータ
・Data broadcast data
＊Transmission mode  00：データカルーセルモード
＊Data Carrousel Auto renewal  00：放送Data Carrousel全データ記録モード
＊Refresh flag  00：新しいデータによる古いデータ自動更新OFF
＊Refresh start time
年（14ビット）、月（4ビット）、日（5ビット）、時（5ビット）、分（6ビット）、秒（6ビット）
＊Refresh end time
年（14ビット）、月（4ビット）、日（5ビット）、時（5ビット）、分（6ビット）、秒（6ビット）
＊Time map flag  00：ストリームにタイムマップなし
＊Storage broadcast flag  00：通常放送ストリーム
このように、デジタル通常放送とデータ放送を第２のファイルに記録し、アナログ放送を第３のファイルに記録し、第２または第３のファイルに記録された放送映像音声データのうち全部または一部を第４のファイルにコピーまたは移動し、また放送に関連するインターネット情報を初めとする放送外関連情報およびその全部または一部を第４のファイルにコピーまたは移動することにより、放送映像音声データを容易に記録可能であり、かつ記録された放送映像音声データを、別ファイルにより放送と切り離して保存、編集、削除、加工、特殊再生など行うことが容易に実現できる。
【０３１５】
また、第２のファイルに記録されたデータをフォーマット変換後、第３のファイルにコピーまたは移動することにより他のＤＶＤプレーヤまたはＤＶＤレコーダでも再生でき、第３のファイルに記録されたデータをフォーマット変換後、第２のファイルにコピーまたは移動することにより直接データ伝送が可能となる。
【０３１６】
また、デジタル放送をマルチチャンネル記録などにより、第２のファイルにタイムマップなしで記録しておき、後からタイムマップを計算しながら第２または第３のファイルにコピーまたは移動することによりタイムマップを追加することができ、それにより容易に可変速再生、タイムサーチ、タイトルまたはチャプターサーチを実現することができる、というメリットを持つものである。
【０３１７】
放送記録ファイル識別フラグと放送外関連情報記録ファイル識別フラグは別々に示してもよく、同時に示してもいい。また、放送識別フラグと放送外関連情報識別フラグを別々に示してもよく、同時に示してもいい。
【０３１８】
前記に示した管理データは、データ構成、データ配置順、フラグ名、ビット数、ビット割り当ては例示したものと同じでなくてもいい。
【０３１９】
前記に示した管理データは、全データが存在しなくても、その一部だけが存在してもいい。
【０３２０】
前記に示した管理データは、発生する単位が、もっと大きい単位でも、小さい単位でもいい。
【０３２１】
また、これらの管理データが記録媒体に記録されたときの、開始アドレス、終了アドレス、データ長が、適宜記録されてもいい。
【０３２２】
また、以上述べてきた記録方法で放送映像音声データを記録する放送映像音声データ記録装置、または以上述べてきた記録方法で記録された放送映像音声データを再生する放送映像音声データ再生装置も、本発明に含まれるものとする。
【０３２３】
また、以上述べてきた記録方法で記録が行われた記録媒体も、本発明に含まれることは言うまでもない。この場合、当該記録媒体は放送映像音声データを記録する領域と当該放送映像音声データを管理する管理データとが別の領域に記録されればいい。
【０３２４】
次に、第４以降のファイル中のデータにおいて、動画、音声、静止画、アニメーション、文字データ、ゲームデータ、電子プログラムガイドデータ、グラフィックデータ、または立体映像データそれぞれに対して、当該データのヘッダー情報を付加してもいい。
【０３２５】
図２４に、ヘッダー情報を付加する例を示す。
【０３２６】
２４０１はHR_MANGR.IFOファイル、２４０２はHR_STRMx.SROファイル、２４０３はHR_MOVIE.IFOファイル、２４０４はHR_EXTBC.DATファイルである。２４０４のHR_EXTBC.DATファイルにおいて、２４０５は後述のトータルヘッダー、２４０６と２４０７はＪＰＥＧ＿１ヘッダーとＪＰＥＧ＿１データ、２４０８と２４０９はＰＮＧヘッダーとＰＮＧデータ、２４１０と２４１１はＪＰＥＧ＿２ヘッダーとＪＰＥＧ＿２データ、２４１２と２４１３はＭＮＧヘッダーとＭＮＧデータである。
【０３２７】
図示したように、各データの先頭にヘッダーが配置され、全体の先頭にトータルヘッダーが配置されている。
【０３２８】
即ち、以下のような構造となる。
【０３２９】
ここで、各フォーマットデータ、およびトータルヘッダーは2kBにアラインしてもいい。
【０３３０】
HR_EXTBC.DAT
├→トータルヘッダー（2kB）
├→JPEG_1 Still-picture (2kB*i)
│  ├→JPEG_1 ヘッダー
│  └→JPEG_1 データ
├→PNG Still-picture (2kB*j)
│  ├→PNG ヘッダー
│  └→PNG データ
├→JPEG_2 Still-picture (2kB*k)
│  ├→JPEG_2 ヘッダー
│  └→JPEG_2 データ
└→MNG animation (2kB*l)
├→MNG ヘッダー
└→MNG データ
また、第４以降のファイル中のデータにおいて、同じフォーマットの動画、同じフォーマットの音声、同じフォーマットの静止画、同じフォーマットのアニメーション、同じフォーマットの文字データ、同じフォーマットのゲームデータ、同じフォーマットの電子プログラムガイドデータ、同じフォーマットのグラフィックデータ、または同じフォーマットの立体映像データそれぞれをまとめ、まとめられたデータに対して割り当てられたヘッダー情報を付加してもいい。
【０３３１】
即ち、図示していないが、図２４において、ＪＰＥＧ＿１とＪＰＥＧ＿２を合併し、ひとつのＪＰＥＧデータとしてＪＰＥＧヘッダーとＪＰＥＧデータを構成してもいい。
【０３３２】
ここで、前記ヘッダー情報が、以下に列挙する情報の少なくとも一部を含んでいても良い。即ち、データ放送なしデジタル通常放送、番組連動型データ放送付デジタル通常放送、独立型データ放送、オーディオ放送またはラジオ放送、文字放送、アナログ放送、または放送外関連情報がそれぞれ記録されているか否かを示すフラグ；記録されている放送データないし放送外関連情報のうち、直接記録または他のファイルからコピーまたは移動されたデータが、直接記録かコピーか移動かの別を示すフラグ；コピーまたは移動のときソースが存在するかどうかを示すフラグと、ソースが存在するときファイル名、ソースストリーム名、ソースストリームナンバー；コピーまたは移動、かつソースが分かっているときソースデータと記録データに関して、その他のとき記録データに関して、データが動画／音声／静止画／アニメーション／文字データ／ゲームデータ／電子プログラムガイドデータ／グラフィックデータ／立体映像データの別を示すフラグ；動画の場合動画データ圧縮方式、音声の場合音声データ圧縮方式、静止画の場合静止画データ圧縮方式、アニメーションの場合アニメーションデータ圧縮方式、文字データの場合文字データ圧縮表示方式、ゲームデータの場合ゲームデータ方式、電子プログラムガイドデータの場合電子プログラムガイド方式、グラフィックデータの場合グラフィックデータ方式、立体映像データの場合立体映像データ方式、およびストリーム形式、放送外関連情報が通常インターネットデータかストリーミングデータかその他のデータかを示すフラグ；ジャンル、コンテンツ情報、サムネイル情報、レジュームマーカー情報、プロテクト情報、仮消去情報、ブックマーク情報、プレイリスト情報、静止画再生時間情報、同期オーディオ情報、オーディオアフレコ情報を特徴付ける情報；ヘッダー長、データ長；上に列挙された情報のうち全部、または一部がヘッダー情報に含まれていても良い。
【０３３３】
更に、ヘッダー情報に、以下の情報の少なくとも一部を追加的に含んでいても良い。即ち、データ放送の伝送方式としてデータカルーセルモードか／イベントメッセージ伝送モードか／両者を含むモードかを示すフラグ、データカルーセル放送の場合放送された全データを記録するモードか／更新データのみ記録するモードかを示すフラグ、ニュース・天気予報・株式情報など更新可能なデータ放送において新しいデータによる古いデータ自動更新をOFFとするかONとするかを示すフラグ、最新データ更新開始時刻／終了時刻、タイムマップが存在するかしないかを示すフラグ、通常放送ストリームか蓄積型放送ストリームかを示すフラグ、のうち全部、または一部が追加されてもいい。
【０３３４】
動画データ圧縮方式としてMPEGビデオかH.264ビデオかWindows（登録商標）Mediaビデオかの種別、音声データ圧縮方式としてMPEGオーディオかDolbyオーディオかDTSオーディオかの種別、静止画データ圧縮方式としてJPEGかPNGかの種別、を示してもいい。
【０３３５】
ヘッダー情報は、例えば以下のように構成される。
【０３３６】
・EXT stream Information #1〜#nに相当するデータ（前項で説明済）
・ジャンル、コンテンツ情報：ジャンル情報、製作者情報、著作者情報、出演者情報
・サムネイル情報：対応するサムネイルのアドレス
・レジュームマーカー情報：再生停止した位置のアドレス
・プロテクト情報：プロテクトOFF（消去可能）、プロテクトON（消去不能）を示すフラグ
・仮消去情報：通常状態、仮消去状態を示すフラグ
・ブックマーク情報：ブックマークOFF、ブックマークONを示すフラグ
・プレイリスト情報：ユーザーが設定したストリーム間の接続情報
・静止画再生時間情報：静止画再生する時間情報
・同期オーディオ情報：静止画と同期したオーディオの時刻情報
・オーディオアフレコ情報：アフレコオーディオアドレス情報
・ヘッダー長：ヘッダー長（バイト数）
・データ長：データまたはヘッダー＋データ長（バイト数）
第４以降のファイルにおいて、そのファイルに記録されている動画／音声／静止画／アニメーション／文字データ／ゲームデータ／電子プログラムガイドデータ／グラフィックデータ／立体映像データ全体のヘッダー情報をまとめてトータルヘッダー情報として記録してもいい。
【０３３７】
図２４の２４０４において、トータルヘッダー情報が示されている。
【０３３８】
トータルヘッダー情報が、２４０６、２４０８、２４１０、２４１２に示すヘッダー情報のうち全部、または一部を持ってもいい。
【０３３９】
ただし、その場合、ヘッダー長はトータルヘッダー長、データ長はHR_EXTBC.DATファイルからトータルヘッダーを除いたバイト数、またはHR_EXTBC.DATファイル全体のバイト数となる。
【０３４０】
これまで示したような構造をとることにより、動画／音声／静止画／アニメーション／文字データ／ゲームデータ／電子プログラムガイドデータ／グラフィックデータ／立体映像データのヘッダー情報を同じHR_EXTBC.DATファイル中に持つことになり、これにより各データの編集、削除、加工、特殊再生が高速かつ容易に可能となる。即ち、図２４に示されているように、第４のファイル２４０４或いは第４のファイル以降のファイルに、これらのファイルに格納される編集済データのヘッダー情報を格納することにより、第１から第３のファイル内のデータが消去された場合にも、第４のファイル２４０４及びそれ以降のファイルに格納された編集済データを再生することができる。この場合、第１のファイルに格納された管理データを参照する必要が無いため、迅速に編集済データを再生することができる。換言すれば、本発明では、放送映像音声データから、再生機器に応じたフォーマットに変換された編集済データを、放送映像音声データとは別のファイルに格納する記録方法が得られる。
【０３４１】
また、本発明では、以上述べてきたいずれかの方法により、ヘッダー情報、トータルヘッダー情報が記録されたデータ記録媒体、ヘッダー情報、トータルヘッダー情報を持つデータを記録するデータ記録装置、またはヘッダー情報、トータルヘッダー情報を持つ記録データを再生するデータ再生装置が得られる。
【０３４２】
なお、ジャンル、コンテンツ情報、サムネイル情報、レジュームマーカー情報、プロテクト情報、仮消去情報、ブックマーク情報、プレイリスト情報、静止画再生時間情報、同期オーディオ情報、オーディオアフレコ情報、ヘッダー長、データ長、に関しては、HR_MANGR.IFOファイル中のStream File Information Table（STM_AVFIT）、Movie AV File Information Table（M_AVFIT）、またはExtra Broadcast File Information Table（EXT_AVFIT）にも配置されてもいい。
【図面の簡単な説明】
【０３４３】
【図１】本発明によりデータ放送記録を実現するデータ記録再生装置の全体構成を示すブロック図である。
【図２】本発明にしたがって、データ放送、オーディオ放送、インターネット付加情報を再生出力する部分を具体的に示すブロック図である。
【図３】本発明の一実施例に係る記録方法を説明するためのブロック図であり、ここでは、管理データを第１のファイル、タイムマップデータを他のファイル、デジタル放送を第２のファイル、アナログ放送の映像音声データを第３のファイル、第２、第３のファイルに記録された放送映像音声データのうち一部を第４のファイルにコピーする例を示している。
【図４】本発明の他の実施例に係る記録方法を説明するための図であり、ここでは、管理データを第１のファイル、タイムマップデータを他のファイル、デジタル放送を第２のファイル、アナログ放送の映像音声データを第３のファイル、第２、第３のファイルに記録された放送映像音声データのうち一部を第４以降の同じ種類のファイルにコピーする例を示している。
【図５】本発明の更に別の実施例に係る記録方法を説明するための図であり、ここでは、管理データを第１のファイル、タイムマップデータを他のファイル、デジタル通常放送と連動型データ放送付通常放送と独立型データ放送とオーディオ放送を第２のファイル、アナログ放送の映像音声データを第３のファイルに記録した後、独立型データ放送のうちの一部とアナログ放送の映像音声データのうちの一部を第４のファイルにコピーする例を示している。
【図６】本発明の他の実施例に係る記録方法を説明するための図であり、ここでは、管理データを第１のファイル、タイムマップデータを他のファイル、デジタル通常放送と連動型データ放送付通常放送と独立型データ放送とオーディオ放送を第２のファイル、アナログ放送の映像音声データを第３のファイルに記録した後、連動型データ放送のうちの一部とアナログ放送の映像音声データのうちの一部をそれぞれ第４以降の同じ種類のファイルにコピーする例を示している。
【図７】本発明の更に別の実施例に係る記録方法を説明するための図であり、ここでは、管理データを第１のファイル、タイムマップデータを他のファイル、デジタル通常放送と連動型データ放送付通常放送を第２のファイル、アナログ放送の映像音声データを第３のファイル、独立型データ放送とオーディオ放送を第４のファイルに記録した後、連動型データ放送のうちの一部とアナログ放送の映像音声データのうちの一部を第４のファイルにコピーする例を示している。
【図８】本発明の他の実施例に係る記録方法を説明するための図であり、ここでは、管理データを第１のファイル、タイムマップデータを他のファイル、デジタル通常放送と連動型データ放送付通常放送を第２のファイル、アナログ放送の映像音声データを第３のファイル、独立型データ放送とオーディオ放送を第４のファイルに記録した後、連動型データ放送のうちの一部とアナログ放送の映像音声データのうちの一部と独立型データ放送のうちの一部をそれぞれ第５以降の同じ種類のファイルにコピーする例を示している。
【図９】デジタル放送を第２のファイル、フォーマット変換したデジタル放送またはアナログ放送を第３のファイルに記録する例を示している図である。
【図１０】デジタル放送またはフォーマット変換したアナログ放送または第３のファイルを第２のファイル、アナログ放送またはフォーマット変換したデジタル放送または第２のファイルを第３のファイルに記録する例を示している図である。
【図１１】第２、第３、第４のファイル間で、フォーマット変換しながらデータをコピーまたは移動する例を示している図である。
【図１２】本発明の更に他の実施例に係る記録方法を説明するための図であり、ここでは、管理データを第１のファイル、タイムマップデータを他のファイル、デジタル通常放送と連動型データ放送付通常放送と独立型データ放送とオーディオ放送を第２のファイル、アナログ放送の映像音声データを第３のファイル、放送に関連するインターネット関連情報を第４のファイルに記録する例を示している。
【図１３】本発明の他の実施例に係る記録方法を説明するための図であり、ここでは、管理データを第１のファイル、タイムマップデータを他のファイル、デジタル通常放送と連動型データ放送付通常放送と独立型データ放送とオーディオ放送を第２のファイル、アナログ放送の映像音声データを第３のファイル、放送に関連するインターネット関連情報を第４のファイルに記録した後、第２／第３のファイルの一部を第４のファイルにコピーする例を示している。
【図１４】本発明の更に他の実施例に係る記録方法を説明するための図であり、ここでは、管理データを第１のファイル、タイムマップデータを他のファイル、デジタル通常放送と連動型データ放送付通常放送を第２のファイル、アナログ放送の映像音声データを第３のファイル、独立型データ放送とオーディオ放送を第４のファイル、放送に関連するインターネット関連情報を第５のファイルに記録した後、第２／第３／第４のファイルの一部を第５のファイルにコピーする例を示している。
【図１５】本発明で使用されるＤＶＤ＿ＨＤＶＲファイルの構成例の一部を示す図である。
【図１６】本発明で使用されるＤＶＤ＿ＨＤＶＲファイルの構成例の他の部分を示す図である。
【図１７】本発明で使用されるＤＶＤ＿ＨＤＶＲファイルの構成例の更に他の部分を示す図である。
【図１８】本発明で使用されるＤＶＤ＿ＨＤＶＲファイルの構成例の更に他の部分を示す図である。
【図１９】本発明で使用されるＤＶＤ＿ＨＤＶＲファイルの構成例の更に他の部分を示す図である。
【図２０】本発明で使用されるＤＶＤ＿ＨＤＶＲファイルの構成例の更に他の部分を示す図である。
【図２１】本発明で使用されるＤＶＤ＿ＨＤＶＲファイルの構成例の更に他の部分を示す図である。
【図２２】本発明で使用されるＤＶＤ＿ＨＤＶＲファイルの構成例の更に他の部分を示す図である。
【図２３】本発明で使用されるＤＶＤ＿ＨＤＶＲファイルの構成例の更に他の部分を示す図である。
【図２４】ヘッダー情報、トータルヘッダー情報を持つHR_EXTBC.DATファイルの例を示す図である。
【符号の説明】
【０３４４】
１０１：デジタル通常放送入力、  １０２：アナログ放送入力、  １０３：インターネット付加情報入力
１０４：制御信号入力、  １０５：チューナー、  １０６：チューナー、エンコーダ
１０７：インターネット入力
１０８：通常放送選択、  １０９：連動型データ放送選択、  １１０：独立型データ放送選択
１１１：オーディオ・ラジオ放送放送選択、  １１２：文字放送選択、  １１３：アナログ放送選択
１１４：インターネット付加情報選択、  １１５：選択統合
１１６：記録フォーマット化、  １１７：ＨＤＤ、  １１８：ＤＶＤ
１１９：データコピー・移動制御、  １２０：データコピー・移動、フォーマット変換
１２１：再生出力
２０１：選択、  ２０２：制御信号、  ２０３：再生フォーマット解読
２０４：動画デコード、  ２０５：音声デコード、  ２０６：静止画デコード
２０７：アニメーションデコード、    ２０８：文字デコード
２０９：ゲームデータデコード、  ２１０：電子プログラムガイドデータデコード
２１１：グラフィックデコード、  ２１２：立体映像デコード
２１３：再生映像再構成、  ２１４：Ｄ／Ａ、  ２１５：管理データ解読、再生方法決定
２１６：映像、音声、データ外部出力
３０１：第１のファイル、  ３０２：他のファイル、  ３０３：第２のファイル、  ３０４：第３のファイル
３０５：第４のファイル、  ３０６：管理データ、  ３０７：タイムマップデータ
３０８：デジタル放送データ、  ３０９：アナログ放送映像音声
３１０：ＭＰＥＧ映像データ、  ３１１：ＭＰＥＧ音声データ、  ３１２：ＪＰＥＧデータ
３１３：ＰＮＧデータ、  ３１４：ＭＮＧデータ、  ３１５：ＢＭＬデータ
３１６：ゲームデータ、  ３１７：電子プログラムガイドデータ、  ３１８：コピーデータ
４０１：第１のファイル、  ４０２：他のファイル、  ４０３：第２のファイル、  ４０４：第３のファイル
４０５：第４のファイル、  ４０６：第５のファイル、  ４０７：第６のファイル
４０８：第７のファイル、  ４０９：第８のファイル、  ４１０：第９のファイル
４１１：第１０のファイル、  ４１２：第１１のファイル
４１３：管理データ、  ４１４：タイムマップデータ
４１５：デジタル放送データ、  ４１６：アナログ放送映像音声、  ４１７：コピーデータ
５０１：第１のファイル、  ５０２：他のファイル、  ５０３：第２のファイル
５０４：第３のファイル、  ５０５：第４のファイル
５０６：管理データ、  ５０７：タイムマップデータ
５０８：デジタル通常放送、  ５０９：連動型データ放送付通常放送
５１０：独立型データ放送、  ５１１：オーディオ放送、  ５１２：アナログ放送映像音声
５１３：ＭＰＥＧ映像データ、  ５１４：ＭＰＥＧ音声データ、  ５１５：ＪＰＥＧデータ
５１６：ＰＮＧデータ、  ５１７：ＭＮＧデータ、  ５１８：ＢＭＬデータ
５１９：ゲームデータ、  ５２０：電子プログラムガイドデータ、  ５２１：コピーデータ
６０１：第１のファイル、  ６０２：他のファイル、  ６０３：第２のファイル、  ６０４：第３のファイル
６０５：第４のファイル、  ６０６：第５のファイル、  ６０７：第６のファイル
６０８：第７のファイル、  ６０９：第８のファイル、  ６１０：第９のファイル
６１１：第１０のファイル、  ６１２：第１１のファイル
６１３：管理データ、  ６１４：タイムマップデータ
６１５：デジタル通常放送、  ６１６：連動型データ放送付通常放送
６１７：独立型データ放送、  ６１８：オーディオ放送、  ６１９：アナログ放送映像音声
６２０〜６２６：コピーデータ
７０１：第１のファイル、  ７０２：他のファイル、  ７０３：第２のファイル
７０４：第３のファイル、  ７０５：第４のファイル
７０６：管理データ、  ７０７：タイムマップデータ
７０８：デジタル通常放送、  ７０９：連動型データ放送付通常放送
７１０：独立型データ放送、  ７１１：オーディオ放送、  ７１２：アナログ放送映像音声
７１３：ＭＰＥＧ映像データ、  ７１４：ＭＰＥＧ音声データ、  ７１５：ＪＰＥＧデータ
７１６：ＰＮＧデータ、  ７１７：ＭＮＧデータ、  ７１８：ＢＭＬデータ
７１９：ゲームデータ、  ７２０：電子プログラムガイドデータ、  ７２１〜７２２：コピーデータ
８０１：第１のファイル、  ８０２：他のファイル、  ８０３：第２のファイル、  ８０４：第３のファイル
８０５：第４のファイル、  ８０６：第５のファイル、  ８０７：第６のファイル
８０８：第７のファイル、  ８０９：第８のファイル、  ８１０：第９のファイル
８１１：第１０のファイル、  ８１２：第１１のファイル、  ８１３：第１２のファイル
８１４：管理データ、  ８１５：タイムマップデータ
８１６：デジタル通常放送、  ８１７：連動型データ放送付通常放送
８１８：独立型データ放送、  ８１９：オーディオ放送、  ８２０：アナログ放送映像音声
８２１〜８２７：コピーデータ
９０１：デジタル放送入力、  ９０２：アナログ放送入力
９０３：デジタル放送チューナー、  ９０４：アナログ放送チューナー
９０５：ＴＳ／ＰＳ変換、  ９０６：ＰＳ符号化、  ９０７：選択
９０８：記録媒体、  ９０９：第２のファイル、  ９１０：第３のファイル
１００１：デジタル放送入力、  １００２：アナログ放送入力
１００３：デジタル放送チューナー、  １００４：アナログ放送チューナー
１００５：ＰＳ符号化、  １００６：選択、  １００７：ＴＳ／ＰＳ変換、  １００８：選択
１００９：選択、  １０１０：ＰＳ／ＴＳ変換、  １０１１：選択
１０１２：記録媒体、  １０１３：第２のファイル、  １０１４：第３のファイル
１１０１：ＴＳ入力、  １１０２：ＰＳ入力
１１０３：記録媒体、  １１０４：第１のファイル、  １１０５：第２のファイル
１１０６：第３のファイル、  １１０７：第４のファイル
１１０８：ＴＳ／ＰＳ変換、  １１０９：ＰＳ／ＴＳ変換
１１１０：フォーマット変換、  １１１１：フォーマット変換
１２０１：第１のファイル、  １２０２：他のファイル、  １２０３：第２のファイル
１２０４：第３のファイル、  １２０５：第４のファイル
１２０６：管理データ、  １２０７：タイムマップデータ
１２０８：デジタル通常放送、  １２０９：連動型データ放送付通常放送
１２１０：独立型データ放送、  １２１１：オーディオ放送、  １２１２：アナログ放送映像音声
１２１３：放送に関連するインターネット情報、  １２１４：番組付加情報
１２１５：ディレクターズカット情報、  １２１６：ディレクターズコメント情報
１２１７：Ｅコマース情報、  １２１８：チャット情報、  １２１９：予告情報
１３０１：第１のファイル、  １３０２：他のファイル、  １３０３：第２のファイル
１３０４：第３のファイル、  １３０５：第４のファイル
１３０６：管理データ、  １３０７：タイムマップデータ
１３０８：デジタル通常放送、  １３０９：連動型データ放送付通常放送
１３１０：独立型データ放送、  １３１１：オーディオ放送、  １３１２：アナログ放送映像音声
１３１３：ＭＰＥＧ映像データ、  １３１４：ＭＰＥＧ音声データ、  １３１５：ＪＰＥＧデータ
１３１６：ＰＮＧデータ、  １３１７：ＭＮＧデータ、  １３１８：ＢＭＬデータ
１３１９：ゲームデータ、  １３２０：電子プログラムガイドデータ
１３２１：放送に関連するインターネット情報、  １３２２：番組付加情報
１３２３：ディレクターズカット情報、  １３２４：ディレクターズコメント情報
１３２５：Ｅコマース情報、  １３２６：チャット情報、  １３２７：予告情報
１３２８〜１３３３：コピーデータ
１４０１：第１のファイル、  １４０２：他のファイル、  １４０３：第２のファイル
１４０４：第３のファイル、  １４０５：第４のファイル、  １４０６：第５のファイル
１４０７：管理データ、  １４０８：タイムマップデータ
１４０９：デジタル通常放送、  １４１０：連動型データ放送付通常放送
１４１１：独立型データ放送、  １４１２：オーディオ放送、  １４１３：アナログ放送映像音声
１４１４：ＭＰＥＧ映像データ、  １４１５：ＭＰＥＧ音声データ、  １４１６：ＪＰＥＧデータ
１４１７：ＰＮＧデータ、  １４１８：ＭＮＧデータ、  １４１９：ＢＭＬデータ
１４２０：ゲームデータ、  １４２１：電子プログラムガイドデータ
１４２２：放送に関連するインターネット情報、  １４２３：番組付加情報
１４２４：ディレクターズカット情報、  １４２５：ディレクターズコメント情報
１４２６：Ｅコマース情報、  １４２７：チャット情報、  １４２８：予告情報
１４２９〜１４３４：コピーデータ
２４０１：HR_MANGR.IFOファイル、  ２４０２：HR_STRMx.SROファイル
２４０３：HR_MOVIE.IFOファイル、  ２４０４：HR_EXTBC.DATファイル
２４０５：トータルヘッダー、  ２４０６：ＪＰＥＧ＿１ヘッダー、  ２４０７：ＪＰＥＧ＿１データ
２４０８：ＰＮＧヘッダー、  ２４０９：ＰＮＧデータ
２４１０：ＪＰＥＧ＿２ヘッダー、  ２４１１：ＪＰＥＧ＿２データ
２４１２：ＭＮＧヘッダー、  ２４１３：ＭＮＧデータ
【図１】
2005323325.tif 000003
【図２】
2005323325.tif 000004
【図３】
2005323325.tif 000005
【図４】
2005323325.tif 000006
【図５】
2005323325.tif 000007
【図６】
2005323325.tif 000008
【図７】
2005323325.tif 000009
【図８】
2005323325.tif 000010
【図９】
2005323325.tif 000011
【図１０】
2005323325.tif 000012
【図１１】
2005323325.tif 000013
【図１２】
2005323325.tif 000014
【図１３】
2005323325.tif 000015
【図１４】
2005323325.tif 000016
【図１５】
2005323325.tif 000017
【図１６】
2005323325.tif 000018
【図１７】
2005323325.tif 000019
【図１８】
2005323325.tif 000020
【図１９】
2005323325.tif 000021
【図２０】
2005323325.tif 000022
【図２１】
2005323325.tif 000023
【図２２】
2005323325.tif 000024
【図２３】
2005323325.tif 000025
【図２４】
2005323325.tif 000026